(57)【要約】  本開示の態様は、リソースブロック(RB)クラスタに対する連続プリコーディングの使用を明示的にまたは暗示的にシグナリングし得る送信デバイスに関する。たとえば、送信デバイスは、連続プリコーディングがRBクラスタに適用されることを、それらのRBを介した送信の1つまたは複数のパラメータを動的に制御することによって暗示的に示し得る。さらに、連続プリコーディングがRBクラスタに適用されるとき、送信デバイスは、そのような連続プリコーディングの利益を最大化する目的で、1つまたは複数の送信特性に対する動的な制御を明示的にまたは暗示的にシグナリングし得る。他の態様、実施形態、および特徴も特許請求され、説明される。
2020501392.tif 000002
【特許請求の範囲】
【請求項１】
スケジューリングエンティティにおいて動作可能なワイヤレス通信の方法であって、
スケジューリング対象エンティティとのワイヤレス通信のためのスケジューリングされたリソースとしてリソースのセットを割り振るステップと、
連続プリコーディングが前記スケジューリングされたリソースに適用されるかどうかを決定するステップと、
連続プリコーディングが前記スケジューリングされたリソースに適用されない場合、プリコーダ以外の、前記スケジューリングされたリソースのための1つまたは複数の送信パラメータを、第1の構成を用いて構成するステップと、
連続プリコーディングが前記スケジューリングされたリソースに適用される場合、前記プリコーダ以外の、前記スケジューリングされたリソースのための前記1つまたは複数の送信パラメータを、前記第1の構成とは異なる第2の構成を用いて構成するステップと、
前記スケジューリングされたリソース上のワイヤレス信号を利用して、前記スケジューリング対象エンティティと通信するステップと
を備える方法。
【請求項２】
前記スケジューリングされたリソースのための前記1つまたは複数の送信パラメータのうちの少なくとも1つの指示を備える制御情報を前記スケジューリング対象エンティティに送信するステップ
をさらに備える、請求項1に記載の方法。
【請求項３】
前記第1の構成については、前記制御情報が、
第1のトランスポートブロックサイズ(TBS)制限、
第1のチャネル状態フィードバック(CSF)粒度、
第1の周波数領域パイロット密度、またはそれらの組合せ
のうちの1つまたは複数を備え、
前記第2の構成については、前記制御情報が、
前記第1のTBS制限とは異なる第2のTBS制限、
前記第1のCSF粒度とは異なる第2のCSF粒度、
前記第1の周波数領域パイロット密度とは異なる第2の周波数領域パイロット密度、またはそれらの組合せ
のうちの1つまたは複数を備える、
請求項2に記載の方法。
【請求項４】
連続プリコーディングが前記スケジューリングされたリソースに適用されるかどうかを決定する前記ステップが、
スケジューリング対象エンティティから受信された、連続プリコーディングを適用するという要求に応答して、連続プリコーディングを前記スケジューリングされたリソースに適用すると決定するステップ
を備える、請求項1に記載の方法。
【請求項５】
連続プリコーディングが前記スケジューリングされたリソースに適用されるかどうかを決定する前記ステップが、前記スケジューリングされたリソースのセットが1つまたは複数のリソースブロックの隣接クラスタを備え、前記クラスタが最小しきい値帯域幅よりも大きい帯域幅を有するとき、連続プリコーディングを前記スケジューリングされたリソースに適用すると決定するステップを備える、請求項1に記載の方法。
【請求項６】
前記スケジューリングされたリソースのサブキャリア間隔、
前記スケジューリングエンティティにおけるまたは前記スケジューリング対象エンティティにおけるアンテナの数、
システム帯域幅、
リソースブロック粒度、
前記スケジューリング対象エンティティの能力またはカテゴリ、
前記スケジューリング対象エンティティからの要求または勧告、あるいはそれらの組合せ
のうちの1つまたは複数に基づいて、前記最小しきい値帯域幅を決定するステップをさらに備える、請求項5に記載の方法。
【請求項７】
連続プリコーディングが前記スケジューリングされたリソースに適用されるかどうかを決定する前記ステップが、前記スケジューリングされたリソースのセットが1つまたは複数のリソースブロックの非隣接クラスタを備えるとき、連続プリコーディングを前記スケジューリングされたリソースに適用しないと決定するステップを備える、請求項1に記載の方法。
【請求項８】
連続プリコーディングが前記スケジューリングされたリソースに適用されるかどうかを決定する前記ステップが、前記スケジューリングされたリソースのセットが1つまたは複数のリソースブロックのクラスタを備え、前記クラスタが最小しきい値帯域幅以下の帯域幅を有するとき、連続プリコーディングを前記スケジューリングされたリソースに適用しないと決定するステップを備える、請求項1に記載の方法。
【請求項９】
スケジューリング対象エンティティにおいて動作可能なワイヤレス通信の方法であって、
1つまたは複数のリソースブロックのクラスタを備えるスケジューリングされたリソースを利用して、スケジューリングエンティティと通信するステップと、
連続プリコーディングが前記スケジューリングされたリソースに適用されるかどうかを決定するステップと、
連続プリコーディングが前記スケジューリングされたリソースに適用されない場合、1つまたは複数の送信パラメータの第1のセットに基づいてチャネル推定値を生成するステップと、
連続プリコーディングが前記スケジューリングされたリソースに適用される場合、1つまたは複数の送信パラメータの第2のセットに基づいて前記チャネル推定値を生成するステップと、
前記チャネル推定値に基づいてチャネル状態フィードバック(CSF)を送信するステップと
を備える方法。
【請求項１０】
連続プリコーディングが前記スケジューリングされたリソースに適用されるかどうかの明示的指示を備えるダウンリンク制御情報を受信するステップ
をさらに備える、請求項9に記載の方法。
【請求項１１】
連続プリコーディングが前記スケジューリングされたリソースに適用されるかどうかを決定する前記ステップが、前記スケジューリングされたリソースの構成に基づいて、連続プリコーディングが適用されるかどうかを決定するステップを備える、請求項9に記載の方法。
【請求項１２】
連続プリコーディングが前記スケジューリングされたリソースに適用されるかどうかを決定する前記ステップが、前記クラスタの中の前記1つまたは複数のリソースブロックが隣接する場合、かつ前記クラスタが最小しきい値帯域幅よりも大きい帯域幅を有する場合、連続プリコーディングが前記スケジューリングされたリソースに適用されると決定するステップを備える、請求項11に記載の方法。
【請求項１３】
連続プリコーディングが前記スケジューリングされたリソースに適用されるかどうかを決定する前記ステップが、前記クラスタの中の前記1つまたは複数のリソースブロックが隣接しない場合かつ/あるいは前記クラスタが最小しきい値帯域幅以下の帯域幅を有する場合、連続プリコーディングが前記スケジューリングされたリソースに適用されないと決定するステップを備える、請求項11に記載の方法。
【請求項１４】
前記1つまたは複数の送信パラメータの第1のセットが、
第1のCSF粒度、
第1の周波数領域パイロット密度、またはそれらの組合せ
を備え、
前記1つまたは複数の送信パラメータの第2のセットが、
前記第1のCSF粒度よりも大きい第2のCSF粒度、
前記第1の周波数領域パイロット密度よりも低い第2の周波数領域パイロット密度、またはそれらの組合せ
を備える、
請求項9に記載の方法。
【請求項１５】
前記スケジューリングされたリソースの複数の領域の各々のためのチャネル状態情報を生成するステップをさらに備え、
前記複数の領域が、スケジューリング対象エンティティのマルチユーザ多入力多出力(MU-MIMO)ペアリングが変化しない領域に対応し、
前記CSFが、前記複数の領域の各々のための前記チャネル状態情報を備える、
請求項9に記載の方法。
【請求項１６】
スケジューリング対象エンティティのMIMOペアリングが変化しない前記領域の境界を備えるダウンリンク制御情報(DCI)を受信するステップをさらに備える、請求項15に記載の方法。
【請求項１７】
ワイヤレス通信のために構成されたスケジューリングエンティティであって、
プロセッサと、
前記プロセッサに通信可能に結合されたメモリと、
前記プロセッサに通信可能に結合されたトランシーバと
を備え、
前記プロセッサが、
スケジューリング対象エンティティとのワイヤレス通信のためのスケジューリングされたリソースとしてリソースのセットを割り振り、
連続プリコーディングが前記スケジューリングされたリソースに適用されるかどうかを決定し、
連続プリコーディングが前記スケジューリングされたリソースに適用されない場合、プリコーダ以外の、前記スケジューリングされたリソースのための1つまたは複数の送信パラメータを、第1の構成を用いて構成し、
連続プリコーディングが前記スケジューリングされたリソースに適用される場合、前記プリコーダ以外の、前記スケジューリングされたリソースのための前記1つまたは複数の送信パラメータを、前記第1の構成とは異なる第2の構成を用いて構成し、
前記トランシーバを介して、前記スケジューリングされたリソース上のワイヤレス信号を利用して、前記スケジューリング対象エンティティと通信する
ように構成される、スケジューリングエンティティ。
【請求項１８】
前記プロセッサが、
前記トランシーバを介して、前記スケジューリングされたリソースのための前記1つまたは複数の送信パラメータのうちの少なくとも1つの指示を備える制御情報を前記スケジューリング対象エンティティに送信するようにさらに構成される、請求項17に記載のスケジューリングエンティティ。
【請求項１９】
前記第1の構成については、前記制御情報が、
第1のトランスポートブロックサイズ(TBS)制限、
第1のチャネル状態フィードバック(CSF)粒度、
第1の周波数領域パイロット密度、またはそれらの組合せ
のうちの1つまたは複数を備え、
前記第2の構成については、前記制御情報が、
前記第1のTBS制限とは異なる第2のTBS制限、
前記第1のCSF粒度とは異なる第2のCSF粒度、
前記第1の周波数領域パイロット密度とは異なる第2の周波数領域パイロット密度、またはそれらの組合せ
のうちの1つまたは複数を備える、
請求項18に記載のスケジューリングエンティティ。
【請求項２０】
連続プリコーディングが前記スケジューリングされたリソースに適用されるかどうかを決定するように構成された前記プロセッサが、
スケジューリング対象エンティティからの連続プリコーディングを適用するという要求の受信、
前記スケジューリングされたリソースのセットが1つまたは複数のリソースブロックの隣接クラスタを備え、前記クラスタが最小しきい値帯域幅よりも大きい帯域幅を有するとの決定、あるいはそれらの組合せ
に応答して、連続プリコーディングを前記スケジューリングされたリソースに適用すると決定するようにさらに構成される、請求項17に記載のスケジューリングエンティティ。
【請求項２１】
前記プロセッサが、
前記スケジューリングされたリソースのサブキャリア間隔、
前記スケジューリングエンティティにおけるまたは前記スケジューリング対象エンティティにおけるアンテナの数、
システム帯域幅、
リソースブロック粒度、
前記スケジューリング対象エンティティの能力またはカテゴリ、あるいは
前記スケジューリング対象エンティティからの要求または勧告
のうちの1つまたは複数に基づいて、前記最小しきい値帯域幅を決定するようにさらに構成される、請求項20に記載のスケジューリングエンティティ。
【請求項２２】
前記プロセッサが、
前記スケジューリングされたリソースのセットが1つまたは複数のリソースブロックの非隣接クラスタを備えるとの決定、
前記スケジューリングされたリソースのセットが1つまたは複数のリソースブロックのクラスタを備え、前記クラスタが前記最小しきい値帯域幅以下の帯域幅を有するとの決定、あるいはそれらの組合せ
に応答して、連続プリコーディングを前記スケジューリングされたリソースに適用しないと決定するようにさらに構成される、請求項20に記載のスケジューリングエンティティ。
【請求項２３】
ワイヤレス通信のために構成されたスケジューリング対象エンティティであって、
プロセッサと、
前記プロセッサに通信可能に結合されたメモリと、
前記プロセッサに通信可能に結合されたトランシーバと
を備え、
前記プロセッサが、
前記トランシーバを介して、1つまたは複数のリソースブロックのクラスタを備えるスケジューリングされたリソースを利用して、スケジューリングエンティティと通信し、
連続プリコーディングが前記スケジューリングされたリソースに適用されるかどうかを決定し、
連続プリコーディングが前記スケジューリングされたリソースに適用されない場合、1つまたは複数の送信パラメータの第1のセットに基づいてチャネル推定値を生成し、
連続プリコーディングが前記スケジューリングされたリソースに適用される場合、1つまたは複数の送信パラメータの第2のセットに基づいて前記チャネル推定値を生成し、
前記トランシーバを介して、前記チャネル推定値に基づいてチャネル状態フィードバック(CSF)を送信する
ように構成される、スケジューリング対象エンティティ。
【請求項２４】
前記プロセッサが、
前記トランシーバを介して、連続プリコーディングが前記スケジューリングされたリソースに適用されるかどうかの明示的指示を備えるダウンリンク制御情報を受信するようにさらに構成される、請求項23に記載のスケジューリング対象エンティティ。
【請求項２５】
連続プリコーディングが前記スケジューリングされたリソースに適用されるかどうかを決定するように構成された前記プロセッサが、前記スケジューリングされたリソースの構成に基づいて、連続プリコーディングが適用されるかどうかを決定するようにさらに構成される、請求項23に記載のスケジューリング対象エンティティ。
【請求項２６】
連続プリコーディングが前記スケジューリングされたリソースに適用されるかどうかを決定するように構成された前記プロセッサが、
前記クラスタの中の前記1つまたは複数のリソースブロックが隣接する場合、かつ前記クラスタが最小しきい値帯域幅よりも大きい帯域幅を有する場合、連続プリコーディングが前記スケジューリングされたリソースに適用されると決定するようにさらに構成される、
請求項25に記載のスケジューリング対象エンティティ。
【請求項２７】
連続プリコーディングが前記スケジューリングされたリソースに適用されるかどうかを決定するように構成された前記プロセッサが、
前記クラスタの中の前記1つまたは複数のリソースブロックが隣接しないと決定すること、
前記クラスタが最小しきい値帯域幅以下の帯域幅を有すると決定すること、あるいはそれらの組合せ
に基づいて、連続プリコーディングが前記スケジューリングされたリソースに適用されないと決定するようにさらに構成される、
請求項25に記載のスケジューリング対象エンティティ。
【請求項２８】
前記1つまたは複数の送信パラメータの第1のセットが、
第1のCSF粒度と、
第1の周波数領域パイロット密度と
を備え、
前記1つまたは複数の送信パラメータの第2のセットが、
前記第1のCSF粒度よりも大きい第2のCSF粒度と、
前記第1の周波数領域パイロット密度よりも低い第2の周波数領域パイロット密度と
を備える、
請求項23に記載のスケジューリング対象エンティティ。
【請求項２９】
前記プロセッサが、前記スケジューリングされたリソースの複数の領域の各々のためのチャネル状態情報を生成するようにさらに構成され、
前記複数の領域が、スケジューリング対象エンティティのマルチユーザ多入力多出力(MU-MIMO)ペアリングが変化しない領域に対応し、
前記CSFが、前記複数の領域の各々のための前記チャネル状態情報を備える、
請求項23に記載のスケジューリング対象エンティティ。
【請求項３０】
前記プロセッサが、前記トランシーバを介して、スケジューリング対象エンティティのMIMOペアリングが変化しない前記領域の境界を備えるダウンリンク制御情報(DCI)を受信するようにさらに構成される、請求項29に記載のスケジューリング対象エンティティ。
【発明の詳細な説明】
【技術分野】
【０００１】
関連出願の相互参照
本出願は、2016年10月11日に米国特許商標庁に出願された仮出願第62/406,920号、および2017年5月30日に米国特許商標庁に出願された非仮出願第15/608,670号の優先権および利益を主張し、その内容全体は、その全体が以下に完全に記載されるかのように、またすべての適用可能な目的のために、参照により本明細書に組み込まれる。
【０００２】
以下で説明する技術は、一般にワイヤレス通信システムに関し、より詳細には、連続プリコーディングを有する送信特性の動的な調整に関する。
【背景技術】
【０００３】
多くの既存のワイヤレス通信システムでは、単一のデバイスは、複数の異なるアンテナからの1つまたは複数のデータストリームを同時に送信することが可能である。通常、プリコーディングは、送信信号に適用される。すなわち、送信信号は、それらのそれぞれのアンテナから送信される前に、異なる重み付けおよび位相シフトを用いて多重化される。これは、シングルストリームビームフォーミングを提供することができ、同じデータストリームがアンテナの各々を介して送信される。ここで、複数のアンテナから送信された線形結合された信号は、指向性の放射ビームをもたらす。これは、通常、ビームフォーミングと呼ばれる。
【０００４】
多入力多出力(MIMO)として知られる別の例では、複数のデータストリームは、プリコーディングされ、異なるアンテナから送信され得る。別々に位置するアンテナによって提供される空間ダイバーシティにより、チャネルの総容量は、レイヤまたはストリームの数によって増倍し得る。研究は、MIMO技術を進化させ続けている。たとえば、マルチユーザMIMO(MU-MIMO)は、複数のアンテナを有する複数の空間的に分散されたユーザに、MIMOチャネルへの多元接続を提供する。MU-MIMOは、従来のポイントツーポイントMIMOよりも著しく改善された性能を提供することができる。
【０００５】
モバイルブロードバンドアクセスに対する需要が増大し続けるにつれて、研究開発は、モバイルブロードバンドアクセスに対する高まる需要を満たすためだけでなく、モバイル通信によるユーザエクスペリエンスを進化および向上させるために、ワイヤレス通信技術を進化させ続けている。
【発明の概要】
【課題を解決するための手段】
【０００６】
以下では、本開示の1つまたは複数の態様の基本的理解を与えるために、そのような態様の簡略化された概要を提示する。この概要は、本開示のすべての企図される特徴の広範な概観ではなく、本開示のすべての態様の主要または重要な要素を識別するものでも、本開示のいずれかまたはすべての態様の範囲を定めるものでもない。その唯一の目的は、後で提示されるより詳細な説明の前置きとして、本開示の1つまたは複数の態様のいくつかの概念を簡略化された形で提示することである。
【０００７】
本開示の様々な態様では、送信デバイスは、リソースブロック(RB)クラスタに対する連続プリコーディングの使用を明示的にまたは暗示的にシグナリングし得る。たとえば、送信デバイスは、連続プリコーディングがRBクラスタに適用されることを、それらのRBを介した送信の1つまたは複数のパラメータを動的に制御することによって暗示的に示し得る。さらに、連続プリコーディングがRBクラスタに適用されるとき、送信デバイスは、そのような連続プリコーディングの利益を最大化する目的で、1つまたは複数の送信特性に対する動的な制御を明示的にまたは暗示的にシグナリングし得る。
【０００８】
一例では、スケジューリングエンティティにおいて動作可能なワイヤレス通信の方法が開示される。方法は、スケジューリング対象エンティティとのワイヤレス通信のためのスケジューリングされたリソースとしてリソースのセットを割り振るステップを含む。ここで、連続プリコーディングがスケジューリングされたリソースに適用されない場合、方法は、プリコーダ以外の、スケジューリングされたリソースのための1つまたは複数の送信パラメータを、第1の構成を用いて構成するステップを含む。連続プリコーディングがスケジューリングされたリソースに適用される場合、方法は、プリコーダ以外の、スケジューリングされたリソースのための1つまたは複数の送信パラメータを、第1の構成とは異なる第2の構成を用いて構成するステップを含む。方法は、スケジューリングされたリソース上のワイヤレス信号を利用して、スケジューリング対象エンティティと通信するステップをさらに含む。
【０００９】
別の例では、スケジューリング対象エンティティにおいて動作可能なワイヤレス通信のための別の方法が開示される。方法は、1つまたは複数のリソースブロックのクラスタを備えるスケジューリングされたリソースを利用して、スケジューリングエンティティと通信するステップを含む。ここで、連続プリコーディングがスケジューリングされたリソースに適用されない場合、方法は、1つまたは複数の送信パラメータの第1のセットに基づいてチャネル推定値を生成するステップを含む。連続プリコーディングがスケジューリングされたリソースに適用される場合、方法は、1つまたは複数の送信パラメータの第2のセットに基づいてチャネル推定値を生成するステップを含む。方法は、チャネル推定値に基づいてチャネル状態フィードバック(CSF)を送信するステップをさらに含む。
【００１０】
別の例では、ワイヤレス通信のために構成されたスケジューリングエンティティが開示される。スケジューリングエンティティは、プロセッサと、プロセッサに通信可能に結合されたメモリと、プロセッサに通信可能に結合されたトランシーバとを含む。ここで、プロセッサは、スケジューリング対象エンティティとのワイヤレス通信のためのスケジューリングされたリソースとしてリソースのセットを割り振るように構成される。さらに、連続プリコーディングがスケジューリングされたリソースに適用されない場合、プロセッサは、プリコーダ以外の、スケジューリングされたリソースのための1つまたは複数の送信パラメータを、第1の構成を用いて構成するように構成される。さらに、連続プリコーディングがスケジューリングされたリソースに適用される場合、プロセッサは、プリコーダ以外の、スケジューリングされたリソースのための1つまたは複数の送信パラメータを、第1の構成とは異なる第2の構成を用いて構成するように構成される。プロセッサは、トランシーバを介して、スケジューリングされたリソース上のワイヤレス信号を利用して、スケジューリング対象エンティティと通信するようにさらに構成される。
【００１１】
別の例では、ワイヤレス通信のために構成されたスケジューリング対象エンティティが開示される。スケジューリング対象エンティティは、プロセッサと、プロセッサに通信可能に結合されたメモリと、プロセッサに通信可能に結合されたトランシーバとを含む。ここで、プロセッサは、トランシーバを介して、1つまたは複数のリソースブロックのクラスタを備えるスケジューリングされたリソースを利用して、スケジューリングエンティティと通信するように構成される。ここで、連続プリコーディングがスケジューリングされたリソースに適用されない場合、プロセッサは、1つまたは複数の送信パラメータの第1のセットに基づいてチャネル推定値を生成するように構成される。さらに、連続プリコーディングがスケジューリングされたリソースに適用される場合、プロセッサは、1つまたは複数の送信パラメータの第2のセットに基づいてチャネル推定値を生成するように構成される。プロセッサは、トランシーバを介して、チャネル推定値に基づいてチャネル状態フィードバック(CSF)を送信するようにさらに構成される。
【００１２】
別の例では、ワイヤレス通信のために構成されたスケジューリングエンティティが開示される。スケジューリングエンティティは、スケジューリング対象エンティティとのワイヤレス通信のためのスケジューリングされたリソースとしてリソースのセットを割り振るための手段を含む。ここで、連続プリコーディングがスケジューリングされたリソースに適用されない場合、スケジューリングエンティティは、プリコーダ以外の、スケジューリングされたリソースのための1つまたは複数の送信パラメータを、第1の構成を用いて構成するための手段を含む。連続プリコーディングがスケジューリングされたリソースに適用される場合、スケジューリングエンティティは、プリコーダ以外の、スケジューリングされたリソースのための1つまたは複数の送信パラメータを、第1の構成とは異なる第2の構成を用いて構成するための手段を含む。スケジューリングエンティティは、スケジューリングされたリソース上のワイヤレス信号を利用して、スケジューリング対象エンティティと通信するための手段をさらに含む。
【００１３】
別の例では、ワイヤレス通信のために構成されたスケジューリング対象エンティティが開示される。スケジューリング対象エンティティは、1つまたは複数のリソースブロックのクラスタを備えるスケジューリングされたリソースを利用して、スケジューリングエンティティと通信するための手段を含む。ここで、連続プリコーディングがスケジューリングされたリソースに適用されない場合、スケジューリング対象エンティティは、1つまたは複数の送信パラメータの第1のセットに基づいてチャネル推定値を生成するための手段を含む。連続プリコーディングがスケジューリングされたリソースに適用される場合、スケジューリング対象エンティティは、1つまたは複数の送信パラメータの第2のセットに基づいてチャネル推定値を生成するための手段を含む。スケジューリング対象エンティティは、チャネル推定値に基づいてチャネル状態フィードバック(CSF)を送信するための手段をさらに含む。
【００１４】
別の例では、ワイヤレス通信のために構成されたスケジューリングエンティティにおいて動作可能なコンピュータ可読記憶媒体が開示される。コンピュータ可読記憶媒体は、スケジューリングエンティティに、スケジューリング対象エンティティとのワイヤレス通信のためのスケジューリングされたリソースとしてリソースのセットを割り振らせるための命令を含む。ここで、連続プリコーディングがスケジューリングされたリソースに適用されない場合、コンピュータ可読記憶媒体は、スケジューリングエンティティに、プリコーダ以外の、スケジューリングされたリソースのための1つまたは複数の送信パラメータを、第1の構成を用いて構成させるための命令を含む。連続プリコーディングがスケジューリングされたリソースに適用される場合、コンピュータ可読記憶媒体は、スケジューリングエンティティに、プリコーダ以外の、スケジューリングされたリソースのための1つまたは複数の送信パラメータを、第1の構成とは異なる第2の構成を用いて構成させるための命令を含む。コンピュータ可読記憶媒体は、スケジューリングエンティティに、スケジューリングされたリソース上のワイヤレス信号を利用して、スケジューリング対象エンティティと通信させるための命令をさらに含む。
【００１５】
別の例では、ワイヤレス通信のために構成されたスケジューリング対象エンティティにおいて動作可能なコンピュータ可読記憶媒体が開示される。コンピュータ可読記憶媒体は、スケジューリング対象エンティティに、1つまたは複数のリソースブロックのクラスタを備えるスケジューリングされたリソースを利用して、スケジューリングエンティティと通信させるための命令を含む。ここで、連続プリコーディングがスケジューリングされたリソースに適用されない場合、コンピュータ可読記憶媒体は、スケジューリング対象エンティティに、1つまたは複数の送信パラメータの第1のセットに基づいてチャネル推定値を生成させるための命令を含む。連続プリコーディングがスケジューリングされたリソースに適用される場合、コンピュータ可読記憶媒体は、スケジューリング対象エンティティに、1つまたは複数の送信パラメータの第2のセットに基づいてチャネル推定値を生成させるための命令を含む。コンピュータ可読記憶媒体は、スケジューリング対象エンティティに、チャネル推定値に基づいてチャネル状態フィードバック(CSF)を送信させるための命令をさらに含む。
【００１６】
以下の詳細な説明を検討すれば、本発明のこれらおよび他の態様がより十分に理解されよう。添付の図とともに本発明の特定の例示的な実施形態の以下の説明を検討すれば、本発明の他の態様、特徴、および実施形態が当業者に明らかとなろう。本発明の特徴について、以下のいくつかの実施形態および図に対して説明する場合があるが、本発明のすべての実施形態は、本明細書で説明する有利な特徴のうちの1つまたは複数を含むことができる。言い換えれば、1つまたは複数の実施形態について、いくつかの有利な特徴を有するものとして説明する場合があるが、そのような特徴のうちの1つまたは複数はまた、本明細書で説明する本発明の様々な実施形態に従って使用され得る。同様に、例示的な実施形態について、デバイス実施形態、システム実施形態、または方法実施形態として以下で説明する場合があるが、そのような例示的な実施形態は、様々なデバイス、システム、および方法において実装され得ることを理解されたい。
【図面の簡単な説明】
【００１７】
【図１】無線アクセスネットワークの一例を示す概念図である。
【図２】いくつかの実施形態による、1つまたは複数のスケジューリング対象エンティティと通信するスケジューリングエンティティの一例を概念的に示すブロック図である。
【図３】本開示の一態様によるポイントツーポイントMIMO送信を示すブロック図である。
【図４】本開示の一態様による直交周波数分割多重(OFDM)リソースグリッドを示す概略図である。
【図５】本開示の一態様による、時分割複信(TDD)キャリアにおける自己完結型スロットを示す図である。
【図６】いくつかの実施形態による、連続プリコーディングを利用する例示的な呼フローを示す呼フロー図である。
【図７】いくつかの実施形態による、連続プリコーディングがRBクラスタに適用されるかどうかを暗示的に決定するアルゴリズムを示す、リソースブロックのセットの概略図である。
【図８】いくつかの実施形態による、マルチユーザ多入力多出力(MU-MINO)環境におけるトランスポートブロックのセットの概略図である。
【図９】いくつかの実施形態による、処理システムを用いるスケジューリングエンティティのためのハードウェア実装形態の一例を示すブロック図である。
【図１０】いくつかの実施形態による、処理システムを用いるスケジューリング対象エンティティのためのハードウェア実装形態の一例を示すブロック図である。
【図１１】いくつかの実施形態による、連続プリコーディングを有する送信特性の動的な調整のための例示的なプロセスを示すフローチャートである。
【図１２】いくつかの実施形態による、スケジューリングエンティティにおいて動作可能な、連続プリコーディングを有する送信特性の動的な調整のための例示的なプロセスを示すフローチャートである。
【図１３】いくつかの実施形態による、スケジューリング対象エンティティにおいて動作可能な、連続プリコーディングを有する送信特性の動的な調整のための例示的なプロセスを示すフローチャートである。
【発明を実施するための形態】
【００１８】
添付の図面に関して以下に記載する詳細な説明は、様々な構成について説明するものであり、本明細書で説明する概念が実践され得る唯一の構成を表すものではない。詳細な説明は、様々な概念の完全な理解を与える目的で、具体的な詳細を含む。しかしながら、これらの概念がこれらの具体的な詳細なしに実践され得ることは当業者に明らかであろう。いくつかの事例では、そのような概念を不明瞭にすることを避けるために、よく知られている構造および構成要素がブロック図の形態で示される。
【００１９】
ワイヤレス通信システムについて、異なるプリコーディング技法が調査されてきた。一例として、連続プリコーディングは、周波数において隣接するリソース要素に適用される位相および振幅が互いと実質的に同様である(たとえば、不連続ではない)、プリコーディングアルゴリズムを指す場合がある。別の例として、連続プリコーディングは、時間において隣接するリソース要素に適用される位相および振幅が互いと実質的に同様である、プリコーディングアルゴリズムを指す場合がある。もちろん、連続プリコーディングのいくつかの例は、周波数次元と時間次元の両方においてそのような連続性を実現することができる。
【００２０】
プリコーダが周波数次元において連続プリコーディングを利用するとき、連続プリコーディングは、周波数選択性プリコーディング能力を提供することができ、一方でそれと同時に、有効チャネルにおける何らかの急激な位相変化を低減する。したがって、受信デバイスは、隣接する連続サブキャリアを含んでいる隣接するリソースブロックのジョイントチャネル推定のために、低コストの広帯域チャネル推定アルゴリズムを用いることができる。(周波数領域において)細かい粒度のプリコーディングは、より良いビームフォーミング利得を提供することができるので、当技術分野ではそのような周波数選択性プリコーディング能力が望まれる。しかしながら、非常に細かい粒度のプリコーディングは、復調基準信号(DMRS)に基づくチャネル推定をより困難なものにする可能性がある。
【００２１】
無線アクセスネットワーク
本開示全体にわたって提示する様々な概念は、多種多様な電気通信システム、ネットワークアーキテクチャ、および通信規格にわたって実装され得る。次に図1を参照すると、限定はしないが例示的な例として、無線アクセスネットワーク100の概略図が与えられている。
【００２２】
無線アクセスネットワーク100によってカバーされる地理的領域は、あるアクセスポイントまたは基地局から地理的エリアにわたってブロードキャストされる識別情報に基づいて、ユーザ機器(UE)によって一意に識別され得る、いくつかのセルラー領域(セル)に分割され得る。図1は、マクロセル102、104、および106、ならびにスモールセル108を示し、その各々は、1つまたは複数のセクタを含み得る。セクタは、セルのサブエリアである。1つのセル内のすべてのセクタは、同じ基地局によってサービスされる。セクタ内の無線リンクは、そのセクタに属する単一の論理識別情報によって識別され得る。セクタに分割されたセルでは、セル内の複数のセクタは、アンテナのグループによって形成され得、各アンテナは、セルの一部分におけるUEとの通信を担う。
【００２３】
一般に、基地局(BS)は各セルにサービスする。概して、基地局は、UEとの間の1つまたは複数のセルにおける無線送信および無線受信を担う、無線アクセスネットワークの中のネットワーク要素である。BSは、当業者によって、基地トランシーバ局(BTS)、無線基地局、無線トランシーバ、トランシーバ機能、基本サービスセット(BSS)、拡張サービスセット(ESS)、アクセスポイント(AP)、ノードB(NB)、eノードB(eNB)、または何らかの他の適切な用語で呼ばれることもある。
【００２４】
図1では、2つの高電力基地局110および112がセル102および104の中に示されており、第3の高電力基地局114がセル106の中のリモートラジオヘッド(RRH)116を制御することが示されている。すなわち、基地局は、集積アンテナを有することができるか、またはフィーダケーブルによってアンテナもしくはRRHに接続され得る。図示の例では、高電力基地局110、112、および114は大きいサイズを有するセルをサポートするので、セル102、104、および106はマクロセルと呼ばれることがある。さらに、低電力基地局118が、1つまたは複数のマクロセルと重複し得るスモールセル108(たとえば、マイクロセル、ピコセル、フェムトセル、ホーム基地局、ホームノードB、ホームeノードBなど)の中に示されている。この例では、低電力基地局118は比較的小さいサイズを有するセルをサポートするので、セル108はスモールセルと呼ばれることがある。セルサイズ決定は、システム設計ならびに構成要素制約に従って行われ得る。無線アクセスネットワーク100は、任意の数のワイヤレス基地局およびセルを含み得ることを理解されたい。さらに、所与のセルのサイズまたはカバレージエリアを拡張するために、中継ノードが展開され得る。基地局110、112、114、118は、任意の数のモバイル装置にコアネットワークへのワイヤレスアクセスポイントを提供する。
【００２５】
図1は、基地局として機能するように構成され得る、クワッドコプターまたはドローン120をさらに含む。すなわち、いくつかの例では、セルは必ずしも静止しているとは限らないことがあり、セルの地理的エリアは、クワッドコプター120などのモバイル基地局のロケーションに従って移動することがある。
【００２６】
一般に、基地局は、ネットワークのバックホール部分と通信するためのバックホールインターフェースを含み得る。バックホールは、基地局とコアネットワークとの間のリンクを提供してもよく、いくつかの例では、バックホールは、それぞれの基地局の間の相互接続を提供してもよい。コアネットワークは、無線アクセスネットワークにおいて使用される無線アクセス技術とは一般に無関係である、ワイヤレス通信システムの一部である。任意の適切なトランスポートネットワークを使用する、直接物理接続、仮想ネットワークなどの様々なタイプのバックホールインターフェースが用いられ得る。いくつかの基地局は、統合アクセスバックホール(IAB:integrated access and backhaul)ノードとして構成されてもよく、ワイヤレススペクトルは、アクセスリンク(すなわち、UEとのワイヤレスリンク)とバックホールリンクの両方に使用され得る。この方式は、ワイヤレスセルフバックホーリングと呼ばれることがある。ワイヤレスセルフバックホーリングを使用することによって、新しい各基地局展開にそれ自体のハードワイヤードバックホール接続が装備されていることを要求するのではなく、基地局とUEとの間の通信に利用されるワイヤレススペクトルがバックホール通信のために活用され、高密度スモールセルネットワークの迅速で容易な展開を可能にすることができる。
【００２７】
無線アクセスネットワーク100は、複数のモバイル装置のためのワイヤレス通信をサポートするように示されている。モバイル装置は、第3世代パートナーシッププロジェクト(3GPP)によって公表された規格および仕様では、一般にユーザ機器(UE)と呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または何らかの他の適切な用語で呼ばれることもある。UEは、ネットワークサービスへのアクセスをユーザに提供する装置であり得る。
【００２８】
本書内では、「モバイル」装置は、必ずしも移動する能力を有する必要があるとは限らず、静止していてもよい。モバイル装置またはモバイルデバイスという用語は、概して、多種多様なデバイスおよび技術を指す。たとえば、モバイル装置のいくつかの非限定的な例は、モバイル、セルラー(セル)フォン、スマートフォン、セッション開始プロトコル(SIP)フォン、ラップトップ、パーソナルコンピュータ(PC)、ノートブック、ネットブック、スマートブック、タブレット、携帯情報端末(PDA)、および、たとえば、「モノのインターネット」(IoT)に対応する広範囲の組込みシステムを含む。モバイル装置は、追加として、自動車または他の輸送車両、リモートセンサーまたはアクチュエータ、ロボットまたはロボティクスデバイス、衛星無線、全地球測位システム(GPS)デバイス、オブジェクトトラッキングデバイス、ドローン、マルチコプター、クワッドコプター、リモート制御デバイス、ならびに、アイウェア、ウェアラブルカメラ、仮想現実デバイス、スマートウォッチ、ヘルスまたはフィットネストラッカー、デジタルオーディオプレーヤ(たとえば、MP3プレーヤ)、カメラ、ゲームコンソールなどのコンシューマデバイスおよび/またはウェアラブルデバイスであり得る。モバイル装置は、追加として、ホームオーディオ、ビデオ、および/またはマルチメディアデバイスなどのデジタルホームデバイスまたはスマートホームデバイス、アプライアンス、自動販売機、インテリジェント照明、ホームセキュリティシステム、スマートメーターなどであり得る。モバイル装置は、追加として、スマートエネルギーデバイス、セキュリティデバイス、ソーラーパネルまたはソーラーアレイ、電力(たとえば、スマートグリッド)、照明、水道などを制御する自治体インフラストラクチャデバイス、工業オートメーションおよびエンタープライズデバイス、ロジスティックスコントローラ、農業機器、軍事防御機器、車両、航空機、船舶、および兵器類などであり得る。またさらに、モバイル装置は、コネクテッド医療(connected medicine)または遠隔医療(telemedicine)サポート、すなわち、遠方におけるヘルスケアを提供し得る。テレヘルスデバイスは、テレヘルス監視デバイスおよびテレヘルス管理デバイスを含んでもよく、その通信には、たとえば、クリティカルサービスデータのトランスポートに対する優先アクセスおよび/またはクリティカルサービスデータのトランスポートに対する関連QoSの観点から、他のタイプの情報にまさる優遇措置または優先アクセスが与えられ得る。
【００２９】
無線アクセスネットワーク100内では、セルは、各セルの1つまたは複数のセクタと通信している場合があるUEを含み得る。たとえば、UE122および124は基地局110と通信している場合があり、UE126および128は基地局112と通信している場合があり、UE130および132はRRH116を介して基地局114と通信している場合があり、UE134は低電力基地局118と通信している場合があり、UE136はモバイル基地局120と通信している場合がある。ここで、各基地局110、112、114、118、および120は、それぞれのセルの中のすべてのUEにコアネットワーク(図示せず)へのアクセスポイントを提供するように構成され得る。基地局(たとえば、基地局110)から1つまたは複数のUE(たとえば、UE122および124)への送信は、ダウンリンク(DL)送信と呼ばれることがあり、UE(たとえば、UE122)から基地局への送信は、アップリンク(UL)送信と呼ばれることがある。本開示のいくつかの態様によれば、ダウンリンクという用語は、スケジューリングエンティティ202において発信するポイントツーマルチポイント送信を指す場合がある。この方式について説明する別の方法は、ブロードキャストチャネル多重化という用語を使用することであり得る。本開示のさらなる態様によれば、アップリンクという用語は、スケジューリング対象エンティティ204において発信するポイントツーポイント送信を指す場合がある。
【００３０】
いくつかの例では、モバイルネットワークノード(たとえば、クワッドコプター120)は、UEとして機能するように構成され得る。たとえば、クワッドコプター120は、基地局110と通信することによって、セル102内で動作し得る。本開示のいくつかの態様では、2つ以上のUE(たとえば、UE126および128)は、基地局(たとえば、基地局112)を通してその通信を中継することなしに、ピアツーピア(P2P)またはサイドリンク信号127を使用して互いと通信し得る。
【００３１】
モビリティ
無線アクセスネットワーク100では、UEが、そのロケーションとは無関係に、移動しながら通信する能力は、モビリティと呼ばれる。UEと無線アクセスネットワークとの間の様々な物理チャネルは、一般に、モビリティ管理エンティティ(MME:mobility management entity)または等価な構成要素(たとえば、アクセスおよびモビリティ管理機能(AMF:Access and Mobility Management Function)、セッション管理機能(SMF:Session Management Function)など)の制御下でセットアップされ、維持され、解放される。
【００３２】
本開示の様々な態様では、無線アクセスネットワーク100は、モビリティおよびハンドオーバ(すなわち、ある無線チャネルから別の無線チャネルへのUEの接続の移転)を可能にするために、DLベースのモビリティまたはULベースのモビリティを利用し得る。DLベースのモビリティ用に構成されたネットワークでは、スケジューリングエンティティとの呼の間に、または任意の他の時間に、UEは、そのサービングセルからの信号の様々なパラメータならびに近隣セルの様々なパラメータを監視し得る。これらのパラメータの品質に応じて、UEは、近隣セルのうちの1つまたは複数との通信を維持し得る。この時間の間に、UEがあるセルから別のセルに移動する場合、または所与の時間量にわたって近隣セルからの信号品質がサービングセルからの信号品質を超える場合、UEは、サービングセルから近隣(ターゲット)セルへのハンドオフまたはハンドオーバを引き受けることがある。たとえば、UE124(車両として示されているが、任意の適切な形態のUEが使用され得る)は、そのサービングセル102に対応する地理的エリアからネイバーセル106に対応する地理的エリアに移動することがある。所与の時間量にわたってネイバーセル106からの信号強度または信号品質がそのサービングセル102の信号強度または信号品質を超えるとき、UE124は、この状態を示す報告メッセージをそのサービング基地局110に送信し得る。それに応答して、UE124はハンドオーバコマンドを受信し得、UEはセル106へのハンドオーバを受け得る。
【００３３】
ULベースのモビリティ用に構成されたネットワークでは、各UEからのUL基準信号は、UEごとにサービングセルを選択するために、ネットワークによって利用され得る。いくつかの例では、基地局110、112、および114/116は、統合同期信号(たとえば、統合1次同期信号(PSS)、統合2次同期信号(SSS)、および統合物理ブロードキャストチャネル(PBCH))をブロードキャストし得る。UE122、124、126、128、130、および132は、統合同期信号を受信し、同期信号からキャリア周波数およびスロットタイミングを導出し、タイミングの導出に応答して、アップリンクパイロット信号または基準信号を送信し得る。UE(たとえば、UE124)によって送信されたアップリンクパイロット信号は、無線アクセスネットワーク100内の2つ以上のセル(たとえば、基地局110および114/116)によって同時に受信され得る。セルの各々は、パイロット信号の強度を測定し得、無線アクセスネットワーク(たとえば、基地局110および114/116のうちの1つまたは複数、ならびに/あるいはコアネットワーク内の中央ノード)は、UE124のためのサービングセルを決定し得る。UE124が無線アクセスネットワーク100の中を移動するとき、ネットワークは、UE124によって送信されたアップリンクパイロット信号を監視し続けることができる。近隣セルによって測定されたパイロット信号の信号強度または信号品質がサービングセルによって測定されたパイロット信号の信号強度または信号品質を超えるとき、ネットワーク100は、UE124への通知の有無にかかわらず、UE124をサービングセルから近隣セルにハンドオーバし得る。
【００３４】
基地局110、112、および114/116によって送信された同期信号は統合され得るが、同期信号は、特定のセルを識別しないことがあり、むしろ、同じ周波数上でおよび/または同じタイミングで動作する複数のセルのゾーンを識別することがある。5Gネットワークまたは他の次世代通信ネットワークにおけるゾーンの使用は、アップリンクベースのモビリティフレームワークを可能にし、UEとネットワークの両方の効率を改善するが、これは、UEとネットワークとの間で交換される必要があるモビリティメッセージの数が低減され得るからである。
【００３５】
認可スペクトル、無認可スペクトル、および共有スペクトル
様々な実装形態では、無線アクセスネットワーク100におけるエアインターフェースは、認可スペクトル、無認可スペクトル、または共有スペクトルを利用し得る。認可スペクトルは、一般に、モバイルネットワーク事業者が政府規制機関からライセンスを購入することによって、スペクトルの一部分の独占的使用を提供する。無認可スペクトルは、政府が許可したライセンスの必要なしに、スペクトルの一部分の共用を提供する。いくつかの技術的なルールの順守は、一般に、無認可スペクトルにアクセスするために依然として必要とされるが、一般に、いかなる事業者またはデバイスもアクセスを得ることができる。共有スペクトルは、認可スペクトルと無認可スペクトルとの間にあってもよく、スペクトルにアクセスするために技術的なルールまたは制限が必要とされ得るが、スペクトルは依然として、複数の事業者および/または複数のRATによって共有され得る。たとえば、認可スペクトルの一部分に対するライセンスの保有者は、たとえば、アクセスを得るためにライセンシーにより決定された適切な条件とともに、認可された共有アクセス(LSA:licensed shared access)を提供して、そのスペクトルを他の当事者と共有し得る。
【００３６】
シグナリングエンティティ
いくつかの例では、エアインターフェースへのアクセスがスケジュールされてもよく、スケジューリングエンティティ(たとえば、基地局)は、そのサービスエリアまたはセル内のいくつかのまたはすべてのデバイスおよび機器の間で通信用のリソースを割り振るスケジューラ942(図9参照)を含む。本開示内では、以下でさらに説明するように、スケジューラ942は、1つまたは複数のスケジューリング対象エンティティのためのリソースをスケジュールすること、割り当てること、再構成すること、および解放することを担い得る。すなわち、スケジューリングされた通信のために、UEまたはスケジューリング対象エンティティは、スケジューラ942によって割り振られたリソースを利用する。そのようなスケジューリングされたリソースは、許可などの制御シグナリングを利用して、スケジューリングエンティティからスケジューリング対象エンティティに明示的に通信され得る。別の例では、スケジューリングされたリソースは、たとえば、適切な許可なしスケジューリング機構を利用して、それぞれのエンティティによって暗示的に識別され得る。
【００３７】
基地局は、スケジューリングエンティティとして機能し得る唯一のエンティティではない。すなわち、いくつかの例では、UEは、1つまたは複数のスケジューリング対象エンティティ(たとえば、1つまたは複数の他のUE)のためのリソースをスケジュールするスケジューリングエンティティとして機能し得る。他の例では、サイドリンク信号は、必ずしも基地局からのスケジューリングまたは制御情報に依拠することなしに、UE間で使用され得る。たとえば、UE138は、UE140および142と通信することが示されている。いくつかの例では、UE138は、スケジューリングエンティティまたは1次サイドリンクデバイスとして機能しており、UE140および142は、スケジューリング対象エンティティまたは非1次(たとえば、2次)サイドリンクデバイスとして機能し得る。さらに別の例では、UEは、デバイス間(D2D)、ピアツーピア(P2P)、または車両間(V2V)ネットワークにおいて、および/またはメッシュネットワークにおいて、スケジューリングエンティティとして機能し得る。メッシュネットワーク例では、UE140および142は、スケジューリングエンティティ138と通信することに加えて、任意選択で互いと直接通信し得る。
【００３８】
したがって、時間周波数リソースへのスケジューリングされたアクセスを伴い、セルラー構成、P2P構成、またはメッシュ構成を有するワイヤレス通信ネットワークでは、スケジューリングエンティティおよび1つまたは複数のスケジューリング対象エンティティは、スケジューリングされたリソースを利用して通信し得る。次に図2を参照すると、ブロック図は、スケジューリングエンティティ202および複数のスケジューリング対象エンティティ204(たとえば、204aおよび204b)を示す。ここで、スケジューリングエンティティ202は、基地局110、112、114、および118に対応し得る。追加の例では、スケジューリングエンティティ202は、UE138、クワッドコプター120、または無線アクセスネットワーク100の中の任意の他の適切なノードに対応し得る。同様に、様々な例では、スケジューリング対象エンティティ204は、UE122、124、126、128、130、132、134、136、138、140、および142、またはアクセスネットワーク100の中の任意の他の適切なノードに対応し得る。
【００３９】
図2に示すように、スケジューリングエンティティ202は、トラフィック206を1つまたは複数のスケジューリング対象エンティティ204にブロードキャストし得る(トラフィックは、ダウンリンクトラフィックと呼ばれることがある)。概して、スケジューリングエンティティ202は、ダウンリンク送信と、いくつかの例では、1つまたは複数のスケジューリング対象エンティティからスケジューリングエンティティ202へのアップリンクトラフィック210とを含む、ワイヤレス通信ネットワークの中のトラフィックをスケジュールすることを担うノードまたはデバイスである。概して、スケジューリング対象エンティティ204は、限定はしないが、スケジューリングエンティティ202などのワイヤレス通信ネットワークの中の別のエンティティからの、スケジューリング情報(たとえば、許可)、同期もしくはタイミング情報、または他の制御情報を含む、制御情報を受信するノードまたはデバイスである。
【００４０】
サイドリンク
いくつかの例では、第1のスケジューリング対象エンティティ204aおよび第2のスケジューリング対象エンティティ204bなどのスケジューリング対象エンティティは、ダイレクトD2D通信のためにサイドリンク信号を利用し得る。サイドリンク信号は、サイドリンクトラフィック214およびサイドリンク制御216を含み得る。サイドリンク制御情報216は、いくつかの例では、送信要求(RTS:request-to-send)、ソース送信信号(STS:source transmit signal)、および/または方向選択信号(DSS:direction selection signal)などの要求信号を含み得る。要求信号は、スケジューリング対象エンティティ204が、サイドリンク信号のために利用可能なサイドリンクチャネルを保つ持続時間を要求することを可能にし得る。サイドリンク制御情報216は、送信可(CTS:clear-to-send)および/または宛先受信信号(DRS:destination receive signal)などの応答信号をさらに含み得る。応答信号は、スケジューリング対象エンティティ204が、たとえば、要求された持続時間に対するサイドリンクチャネルの利用可能性を示すことを可能にし得る。要求信号と応答信号の交換(たとえば、ハンドシェイク)は、サイドリンク通信を実行する異なるスケジューリング対象エンティティが、サイドリンクトラフィック情報214の通信の前にサイドリンクチャネルの利用可能性をネゴシエートすることを可能にし得る。
【００４１】
複信
無線アクセスネットワーク100におけるエアインターフェースは、1つまたは複数の複信アルゴリズムを利用し得る。複信は、両方のエンドポイントが両方向において互いと通信することができる、ポイントツーポイント通信リンクを指す。全二重は、両方のエンドポイントが同時に互いと通信することができることを意味する。半二重は、一度に一方のエンドポイントのみが他方に情報を送ることができることを意味する。ワイヤレスリンクでは、全二重チャネルは、一般に、送信機と受信機の物理的分離、および適切な干渉消去技術に依拠する。周波数分割複信(FDD)または時分割複信(TDD)を利用することによって、ワイヤレスリンクに対して全二重エミュレーションが頻繁に実装される。FDDでは、異なる方向における送信は、異なるキャリア周波数において動作する。TDDでは、所与のチャネル上の異なる方向における送信は、時分割多重を使用して互いから分離される。すなわち、ある時間には、チャネルは一方の方向における送信専用であるが、他の時間には、チャネルは他方の方向における送信専用であり、その場合、方向は、非常に急速に、たとえば、スロット当たり数回、変化し得る。
【００４２】
MIMO/ビームフォーミング
本開示のいくつかの態様では、スケジューリングエンティティおよび/またはスケジューリング対象エンティティは、ビームフォーミングおよび/または多入力多出力(MIMO)技術用に構成され得る。図3は、MIMOをサポートするワイヤレス通信システム300の一例を示す。MIMOシステムでは、送信機302は複数の送信アンテナ304(たとえば、N個の送信アンテナ)を含み、受信機306は複数の受信アンテナ308(たとえば、M個の受信アンテナ)を含む。したがって、送信アンテナ304から受信アンテナ308へのN×M個の信号経路310がある。送信機302および受信機306の各々は、たとえば、スケジューリングエンティティ202、スケジューリング対象エンティティ204、または任意の他の適切なワイヤレス通信デバイス内で実装され得る。
【００４３】
そのような多アンテナ技術の使用により、ワイヤレス通信システムは空間領域を活用して、空間多重化、ビームフォーミング、および送信ダイバーシティをサポートすることが可能になる。空間多重化は、レイヤとも呼ばれる、データの異なるストリームを同じ時間周波数リソース上で同時に送信するために使用され得る。データストリームは、データレートを上げるために単一のUEに送信されてもよく、または全体的なシステム容量を増大させるために複数のUEに送信されてもよく、後者は、マルチユーザMIMO(MU-MIMO)と呼ばれる。これは、各データストリームを空間的にプリコーディングし(すなわち、異なる重み付けおよび位相シフトを用いてデータストリームを多重化し)、次いで、空間的にプリコーディングされた各ストリームをダウンリンク上で複数の送信アンテナを介して送信することによって実現される。空間的にプリコーディングされたデータストリームは、異なる空間シグネチャとともにUEに到着し、これにより、UEの各々は、そのUEに宛てられた1つまたは複数のデータストリームを復元することができる。アップリンク上では、各UEは、空間的にプリコーディングされたデータストリームを送信し、これにより、基地局は、空間的にプリコーディングされた各データストリームのソースを識別することができる。
【００４４】
データストリームまたはレイヤの数は、送信のランクに対応する。一般に、MIMOシステム300のランクは、低いほうの送信アンテナ304または受信アンテナ308の数によって制限される。加えて、UEにおけるチャネル状態、ならびに、基地局における利用可能なリソースなどの他の考慮事項も、送信ランクに影響を及ぼし得る。たとえば、ダウンリンク上の特定のUEに割り当てられるランク(したがって、データストリームの数)は、UEから基地局に送信されるランクインジケータ(RI)に基づいて決定され得る。RIは、アンテナ構成(たとえば、送信アンテナおよび受信アンテナの数)と受信アンテナの各々の上で測定された信号対干渉雑音比(SINR)とに基づいて決定され得る。RIは、たとえば、現在のチャネル状態の下でサポートされ得るレイヤの数を示し得る。基地局は、送信ランクをUEに割り当てるために、リソース情報(たとえば、利用可能なリソースおよびUEのためにスケジュールされるべきデータの量)とともに、RIを使用し得る。
【００４５】
時分割複信(TDD)システムでは、ULおよびDLは、各々が同じ周波数帯域幅の異なるタイムスロットを使用するという点で、相互的である。したがって、TDDシステムでは、基地局は、UL SINR測定値に基づいて(たとえば、UEから送信されるサウンディング基準信号(SRS)または他のパイロット信号に基づいて)DL MIMO送信のランクを割り当て得る。割り当てられたランクに基づいて、基地局は次いで、マルチレイヤチャネル推定を行うために、レイヤごとの別個のC-RSシーケンスを有するCSI-RSを送信し得る。UEは、CSI-RSからレイヤおよびリソースブロックにわたるチャネル品質を測定することと、ランクを更新し、将来のダウンリンク送信のためのREを割り当てる際に使用するためのCQI値およびRI値を基地局にフィードバックすることとを行い得る。
【００４６】
最も単純な場合、図3に示すように、2×2 MIMOアンテナ構成でのランク-2の空間多重化送信は、各送信アンテナ304から1つのデータストリームを送信することになる。各データストリームは、異なる信号経路310に沿って各受信アンテナ308に到着する。次いで、受信機306は、各受信アンテナ308からの受信信号を使用してデータストリームを再構成し得る。
【００４７】
チャネルコーディング
無線アクセスネットワーク100を介した送信は、一般に、適切な誤り訂正ブロックコードを利用し得る。典型的なブロックコードでは、情報メッセージまたはシーケンスはコードブロック(CB)に分割され、次いで、送信デバイスにおけるエンコーダ(たとえば、コーデック)は、情報メッセージに冗長性を数学的に追加する。符号化された情報メッセージにおけるこの冗長性の活用は、メッセージの信頼性を改善することができ、雑音に起因して生じ得る任意のビット誤りの訂正を可能にする。誤り訂正コードのいくつかの例は、ハミングコード、ボーズ-チョドーリ-オッケンジェム(BCH:Bose-Chaudhuri-Hocquenghem)コード、ターボコード、低密度パリティチェック(LDPC)コード、およびポーラ(Polar)コードを含む。スケジューリングエンティティ202およびスケジューリング対象エンティティ204の様々な実装形態は、ワイヤレス通信用のこれらの誤り訂正コードのうちの1つまたは複数を利用するための適切なハードウェアおよび能力(たとえば、エンコーダ、デコーダ、および/またはコーデック)を含み得る。
【００４８】
多重化/多元接続
無線アクセスネットワーク100におけるエアインターフェースは、様々なデバイスの同時通信を可能にするために、1つまたは複数の多重化および多元接続アルゴリズムを利用し得る。たとえば、UE122および124から基地局110へのアップリンク(UL)送信すなわち逆方向リンク送信のための多元接続は、時分割多元接続(TDMA)、符号分割多元接続(CDMA)、周波数分割多元接続(FDMA)、直交周波数分割多元接続(OFDMA)、離散フーリエ変換(DFT)拡散OFDMAもしくはシングルキャリアFDMA(DFT-s-OFDMAもしくはSC-FDMA)、スパース符号多元接続(SCMA)、リソース拡散多元接続(RSMA)、または他の適切な多元接続方式を利用して提供され得る。さらに、基地局110からUE122および124へのダウンリンク(DL)送信すなわち順方向リンク送信を多重化することは、時分割多重化(TDM)、符号分割多重化(CDM)、周波数分割多重化(FDM)、直交周波数分割多重化(OFDM)、スパース符号多重化(SCM)、または他の適切な多重化方式を利用して提供され得る。
【００４９】
OFDM
本開示の様々な態様について、図4に示すようなOFDM波形を参照しながら説明する。すなわち、5G NR無線アクセスネットワークでは、OFDMはDL送信、UL送信(OFDMA)、および/またはサイドリンク送信に利用され得ると予想される。したがって、本開示の様々な態様は、OFDMを利用するとき、これらのリンクのいずれかに適用され得ることを理解されたい。さらに、5G NR無線アクセスネットワークでは、OFDM以外の波形は、SC-FDMAなどの、UL送信および/またはサイドリンク送信に利用され得る。本開示の様々な態様は、以下で本明細書で説明する方法と実質的に同じ方法でSC-FDMA波形に適用され得ることをさらに理解されたい。すなわち、本開示のいくつかの例は、明快にするためにDL OFDMリンクに焦点を合わせることがあるが、同じ原理がOFDM波形ならびにSC-FDMA波形を利用するDL、UL、およびサイドリンクに適用され得ることを理解されたい。
【００５０】
次に図4を参照すると、OFDMエアインターフェースにおける例示的なDLスロット402が示されている。しかしながら、当業者が容易に諒解するように、任意の特定の適用例のためのスロット構造は、任意の数の要因に応じて、ここで説明する例とは異なることがある。この例では、タイムスロット(スロット)402の一部分は、時間次元および周波数次元において拡大されたリソースグリッド404を示すために拡大される。ここで、時間はOFDMシンボルの単位での水平方向であり、周波数はサブキャリアの単位での垂直方向である。
【００５１】
すなわち、リソースグリッド404は、時間周波数リソースを概略的に表すために使用され得る。リソースグリッド404は、複数のリソース要素(RE)406に分割される。1サブキャリア×1シンボルであるREは、時間周波数グリッドの最も小さい個別部分であり、物理チャネルまたは信号からのデータを表す単一の複素数値を含んでいる。特定の実装形態において利用される変調に応じて、各REは情報の1つまたは複数のビットを表し得る。いくつかの例では、REのブロックは、物理リソースブロック(PRB)またはより簡単にはリソースブロック(RB)408と呼ばれることがあり、RB408は、周波数領域における任意の適切な数の連続するサブキャリアと、いくつかの例では、各OFDMシンボルにおいて使用されるサイクリックプレフィックス(CP)の長さに応じて、時間領域における任意の適切な数の連続するOFDMシンボルとを含んでいる。RBは、UEに割り振られ得るリソースの最小単位であり得る。したがって、UEのためにスケジューリングされたRBが多いほど、かつエアインターフェースのために選ばれた変調方式が高いほど、UEのためのデータレートは高くなる。この図では、RB408は、スロット402の帯域幅全体よりも小さい帯域幅を占めるものとして示されており、いくつかのサブキャリアは、RB408の上および下に示されている。所与の実装形態では、スロット402は、任意の数の1つまたは複数のRB408に対応する帯域幅を有し得る。さらに、この図では、RB408は、スロット402の持続時間全体よりも少ない持続時間を占めるものとして示されているが、これは1つの可能な例にすぎない。
【００５２】
以下でさらに詳細に説明するように(たとえば、図5を参照)、1つのスロット402は、UL送信部分とDL送信部分の両方を含み得る。本開示内では、RB408などの単一のRBは、通信の単一の方向(所与のデバイスのための送信または受信のいずれか)に完全に対応すると仮定される。
【００５３】
図4には示されていないが、RB408内の様々なRE406は、制御チャネル、共有チャネル、データチャネルなどを含む、1つまたは複数の物理チャネルを搬送するようにスケジュールされ得る。RB408内の他のRE406も、限定はしないが、復調基準信号(DMRS)、制御基準信号(CRS)、またはサウンディング基準信号(SRS)を含む、パイロットまたは基準信号を搬送し得る。これらのパイロットまたは基準信号は、受信デバイスが対応するチャネルのチャネル推定を実行することを実現することができ、このことは、RB408内の制御チャネルおよび/またはデータチャネルのコヒーレントな復調/検出を可能にすることができる。
【００５４】
DL送信では、送信デバイス302(たとえば、スケジューリングエンティティ202)は、PBCH、PSS、SSS、物理制御フォーマットインジケータチャネル(PCFICH)、物理ハイブリッド自動再送要求(HARQ)インジケータチャネル(PHICH)、および/または物理ダウンリンク制御チャネル(PDCCH)などの1つまたは複数のDL制御チャネルを含むDL制御情報208を1つまたは複数のスケジューリング対象エンティティ204に搬送するために、RB408内の1つまたは複数のRE406を割り振ることができる。PCFICHは、受信デバイスがPDCCHを受信および復号するのを支援するための情報を提供する。PDCCHは、限定はしないが、DL送信およびUL送信のための電力制御コマンド、スケジューリング情報、許可、および/またはREの割当てを含む、ダウンリンク制御情報(DCI)を搬送する。PHICHは、肯定応答(ACK)または否定応答(NACK)などのHARQフィードバック送信を搬送する。HARQは、当業者によく知られている技法であり、正確を期すために、たとえば、チェックサムまたは巡回冗長検査(CRC)などの任意の適切な完全性検査機構を利用して、受信側においてパケット送信の完全性が検査されてもよい。送信の完全性が確認された場合、ACKが送信されてもよいが、確認されなかった場合、NACKが送信されてもよい。NACKに応答して、送信デバイスは、チェイス合成、インクリメンタル冗長などを実装し得るHARQ再送信を送ってもよい。
【００５５】
UL送信では、送信デバイス302(たとえば、スケジューリング対象エンティティ204)は、物理アップリンク制御チャネル(PUCCH)などの1つまたは複数のUL制御チャネルを含むUL制御情報212をスケジューリングエンティティ202に搬送するために、RB408内の1つまたは複数のRE406を利用し得る。UL制御情報は、パイロット、基準信号、およびアップリンクデータ送信を復号することを可能にするかまたは支援するように構成された情報を含む、様々なパケットタイプおよびカテゴリを含み得る。いくつかの例では、制御情報212は、スケジューリング要求(SR)、すなわち、スケジューリングエンティティ202がアップリンク送信をスケジュールすることを求める要求を含み得る。ここで、制御チャネル212上で送信されたSRに応答して、スケジューリングエンティティ202は、アップリンクパケット送信のためのリソースをスケジュールし得るダウンリンク制御情報208を送信し得る。UL制御情報は、HARQフィードバック、チャネル状態フィードバック(CSF)、または任意の他の適切なUL制御情報も含み得る。
【００５６】
制御情報に加えて、RB408は、ユーザデータまたはトラフィックデータのために割り振られた1つまたは複数のRE406を含み得る。そのようなトラフィックは、DL送信の場合は物理ダウンリンク共有チャネル(PDSCH)、またはUL送信の場合は物理アップリンク共有チャネル(PUSCH)などの、1つまたは複数のトラフィックチャネル上で搬送され得る。いくつかの例では、データ領域内の1つまたは複数のRE406は、所与のセルへのアクセスを可能にすることができる情報を搬送するシステム情報ブロック(SIB)を搬送するように構成され得る。
【００５７】
上記で説明し、図2に示したチャネルまたはキャリアは、必ずしも、スケジューリングエンティティ202とスケジューリング対象エンティティ204との間で利用され得るすべてのチャネルまたはキャリアであるとは限らず、当業者は、図示したものに加えて、他のトラフィックチャネル、制御チャネル、およびフィードバックチャネルなどの他のチャネルまたはキャリアが利用され得ることを認識されよう。
【００５８】
上記で説明したこれらの物理チャネルは、一般に、媒体アクセス制御(MAC)レイヤにおける処理のために多重化され、トランスポートチャネルにマッピングされる。トランスポートチャネルは、トランスポートブロック(TB)と呼ばれる情報のブロックを搬送する。情報のビット数に対応し得るトランスポートブロックサイズ(TBS)は、所与の送信における変調およびコーディング方式(MCS)ならびにRBの数に基づく、被制御パラメータであり得る。
【００５９】
自己完結型スロット
上記で説明したように、無線アクセスネットワーク100におけるワイヤレス通信は、スロットを単位として編成され得る。本開示の一態様によれば、これらのスロットのうちの1つまたは複数は自己完結型スロットであり得る。たとえば、図5は、自己完結型スロット500および550の2つの例示的な構造を示す。ここで、スロット500および550は、上記で説明し、図4に示したスロット402に対応し得る。
【００６０】
図示の例では、DL中心スロット500は、送信機によってスケジューリングされたスロットであってもよい。DL中心という名称は、一般に、より多くのリソースがDL方向における送信(たとえば、スケジューリングエンティティ202からスケジューリング対象エンティティ204への送信)のために割り振られる構造を指す。同様に、UL中心スロット550は、受信機によってスケジューリングされたスロットであってもよく、より多くのリソースがUL方向における送信(たとえば、スケジューリング対象エンティティ204からスケジューリングエンティティ202への送信)のために割り振られる。
【００６１】
自己完結型スロット500および550などの各スロットは、送信(Tx)部分および受信(Rx)部分を含み得る。たとえば、DL中心スロット500では、スケジューリングエンティティ202は、最初に、たとえば、DL制御領域502においてPDCCH上で制御情報を送信する機会を有し、次いで、たとえば、DLデータ領域504においてPDSCH上でDLユーザデータまたはトラフィックを送信する機会を有する。適切な持続時間510を有するガード期間(GP)領域506に続いて、スケジューリングエンティティ202は、ULバースト508において、キャリアを使用して他のエンティティから、任意のULスケジューリング要求、CSF、HARQ ACK/NACKなどを含むULデータおよび/またはULフィードバックを受信する機会を有する。ここで、DL中心スロット500などのスロットは、データ領域504において搬送されるデータのすべてが同じスロットの制御領域502においてスケジュールされているとき、さらに、データ領域504において搬送されるデータのすべてが同じスロットのULバースト508において確認されているとき(または少なくとも確認される機会を有する)とき、自己完結型スロットと呼ばれることがある。このようにして、各自己完結型スロットは自己完結型エンティティと見なされてもよく、任意の所与のパケットに対するスケジューリング-送信-確認応答のサイクルを完了するために任意の他のスロットを必ずしも必要とするとは限らない。
【００６２】
GP領域506は、ULタイミングおよびDLタイミングにおける変動性に適応するために含まれ得る。たとえば、(たとえば、DLからULへの)無線周波数(RF)アンテナ方向切替えに起因するレイテンシおよび送信経路レイテンシは、DLタイミングと一致するように、スケジューリング対象エンティティ204にUL上で早期に送信させることがある。そのような早期送信は、スケジューリングエンティティ202から受信されたシンボルに干渉することがある。したがって、GP領域506は、DLデータ領域504の後の時間量が干渉を防ぐことを可能にすることができ、その場合、GP領域506は、スケジューリングエンティティ202がそのRFアンテナ方向を切り替えるための適切な時間量、オーバージエア(OTA)送信のための適切な時間量、およびスケジューリング対象エンティティによるACK処理のための適切な時間量を与える。
【００６３】
同様に、UL中心スロット550は、自己完結型スロットとして構成され得る。UL中心スロット550は、データ領域556がUL方向であることを除いて、DL中心スロット500と実質的に同様である。
【００６４】
スロット500および550に示すスロット構造は、自己完結型スロットの一例にすぎない。他の例は、あらゆるスロットの最初にある共通DL部分と、あらゆるスロットの最後にある共通UL部分とを含んでもよく、これらのそれぞれの部分の間のスロットの構造に様々な差がある。他の例は、依然として、本開示の範囲内で提供され得る。
【００６５】
PRBバンドリング
本開示の1つまたは複数の態様は、PRBバンドリング(またはRBバンドリング)の使用に関する。すなわち、スケジューラ942(図9参照)がリソースをスケジュールするとき、スケジューラ942は通常、1つまたは複数のRBのバンドルまたはクラスタをスケジュールする。本文書で使用する場合、「クラスタ」は、互いと隣接していることもあり必ずしも互いと隣接しているとは限らないこともあるRBのセットまたはグループを指すが、「バンドル」は、互いと隣接しているRBのセットまたはグループを指す。したがって、本明細書で使用する場合、すべてのPRBバンドルはRBのクラスタであるが、RBのすべてのクラスタはPRBバンドルであるとは限らない。スケジューラ942は、UEによって提供されたチャネル状態フィードバック(CSF)に基づいて、これらのPRBバンドル内でUEのためのリソースを動的にスケジュールし得る。このCSFは、DLチャネルの品質または特性を示し得る。たとえば、CSFは、チャネル品質インジケータ(CQI)、プリコーディング行列インデックス(PMI)、およびランクインジケータ(RI)を含み得る。CQIは、たとえば、解析されているチャネルのブロック誤り率(BLER)が10%を超えない、最も高い変調およびコードレートを示す変調およびコーディング方式(MCS)インデックスを含み得る。
【００６６】
たとえば、UEは、DL帯域幅全体にわたるチャネル品質(たとえば、信号対干渉雑音比、すなわちSINR)を測定し得る。次いで、UEは、広帯域CQIを基地局に与え得る。別の例では、UEは、UEがスケジューリングされたデータを有するPRBバンドルのみにわたるチャネル品質を測定し、スケジューリングされたPRBバンドルごとのそれぞれのCSFを基地局に与え得る。いくつかの例では、PRBバンドルのCQI値は、レイヤ(たとえば、MIMOシステムにおけるデータストリーム)にわたるチャネル品質測定値(SINR)とRBを組み合わせて総MCSインデックスを導出することによって決定されてもよく、総MCSインデックスは次いで、レイヤの数によって正規化されてもよく、得られたMCSインデックスは、基地局にフィードバックされる。
【００６７】
LTE技術を利用するいくつかのネットワークは、PRBバンドリングを実装している。これらのレガシーネットワークでは、PRBのセットまたはバンドル(たとえば、プリコーディングRBグループ、すなわちPRG)が定義され、この場合、バンドルの中のRBは、周波数次元において隣接する。LTEネットワークでは、パイロット構造、または各RBの中のパイロットもしくは基準信号を搬送するREの(たとえば、周波数次元における)パターンは、PRG全体にわたって均一である。さらに、LTEネットワークは、同じプリコーディング行列をPRG全体にわたるすべてのRBに適用する。すなわち、LTEネットワークは、PRG内で周波数選択性プリコーディングを提供せず、プリコーダは、PRG内のRBの中のすべてのサブキャリアにわたって同じままである。さらに、ネットワークがPRGの中の任意のRBに対応するプリコーディング行列インジケータ(PMI)を示す制御信号を送るとき、このPMIは、PRG全体に適用されるジョイントPMIと見なされる。
【００６８】
上記で説明したように、ビームフォーミングおよびMIMO技術の文脈では、マルチアンテナデバイスは、プリコーディングを1つまたは複数の送信されたデータストリームに適用してもよく、プリコーディング行列は、ストリームに適用される。プリコーディング行列の適用は、送信信号を、それらのそれぞれのアンテナから送信される前に、適切な重み付けおよび位相シフトを用いて多重化または結合する。干渉パターンと、いくつかの例では、マルチパス干渉とを利用することによって、放射パターンは、(ビームフォーミングの場合)単一のストリームのビームを受信デバイスに向けるように、または(MIMOの場合)複数のストリームを受信デバイスに送るために空間多重化を行うように操作され得る。
【００６９】
一般に、異なる隣接RBのプリコーディングの場合、それらのそれぞれのRBの隣接するエッジにおける、互いに隣接する2つのサブキャリアのプリコーディングは、必ずしも同じであるとは限らない。したがって、異なる隣接するRBの中の隣接するサブキャリアは、それらの相対振幅および/または位相において大きい差を有し得る。しかしながら、上記で説明したように、LTEネットワークでは、同じプリコーディングは、PRGにわたるすべてのRBに適用される。
【００７０】
LTEネットワークにおけるPRBバンドリングは、UEなどの受信デバイスによる改善されたチャネル推定を実現することができる。すなわち、プリコーダはPRG内の隣接RBにわたって同じであるので、受信デバイスは、より大きい帯域幅にわたるチャネル推定を実行することができ、このことは通常、より良いチャネル推定品質をもたらす。さらに、通常ならば周波数選択性プリコーディングによって引き起こされる場合がある位相および/または振幅の不連続性がないために、そのような広帯域チャネル推定は、UEにおける比較的低いコストおよび処理要件で実装され得る。
【００７１】
しかしながら、LTEネットワークにおいてPRBバンドリングを使用することからのこれらの利益は、送信機が細かい粒度のプリコーディングを実行することができないことを犠牲にするものである。すなわち、プリコーダはPRGにわたって同じであるが、ある周波数サブキャリアのための最良のまたは理想的なプリコーダは、異なる周波数サブキャリアのための最良のまたは理想的なプリコーダとは異なり得る。プリコーディング行列選択の非常に細かい粒度が利用可能である、たとえば、サブキャリアごとの最良のプリコーディング行列を選択する場合、かなりのビームフォーミング利得が達成され得る。適切なプリコーディング行列の選択のためのそのような細かい粒度を有しなければ、ビームフォーミング利得は低減される。
【００７２】
連続プリコーディング
本開示の一態様では、広帯域チャネル推定を可能にするために広帯域幅にわたって同じプリコーダを必要としないが、PRBバンドリングの利点のうちのいくつかが損なわれる。たとえば、同じPMIがPRG全体にわたって適用されるLTEネットワークの場合とは異なり、連続プリコーディングまたは連続ビームフォーミングとも呼ばれる連続位相プリコーディングは、周波数選択性プリコーディングを実現することができる。しかしながら、連続プリコーディングがある場合、この周波数選択性は、チャネルにおける急激な位相変化および/または振幅変化を低減するために、いくつかの制限を受けることがある。
【００７３】
すなわち、連続プリコーディングがある場合、隣接するリソース要素に適用される位相および/または振幅は、実質的に互いと似ている(たとえば、不連続ではない)。本開示で使用する場合、連続(continuous)という用語は、必ずしも固定(constant)を意味するとは限らない。むしろ、連続(continuous)は、あるリソース要素から隣接するリソース要素まで、所与のしきい値と同じくらいの量だけ異なる場合があるパラメータを指す。すなわち、そのしきい値よりも大きい量だけのパラメータの変動は、不連続と見なされることになる。本開示の一態様では、連続プリコーディングは、有効チャネルが、プリコーダを適用した後に、急激な位相および/または振幅の変化を受けないことを保証する周波数選択性(たとえば、サブキャリアごとの)プリコーディングを指す場合がある。すなわち、隣接するサブキャリアの中のリソース要素に適用される位相および/または振幅は、連続であり得る。さらに、連続プリコーディングは、同様の特性を有する時間選択性(たとえば、シンボルごとの)プリコーディングを指す場合がある。すなわち、隣接するシンボルの中のリソース要素に適用される位相および/または振幅は、連続であり得る。「連続プリコーディング」という用語は、一般に、連続位相および/または連続時間プリコーディングを指す場合がある。したがって、連続プリコーディングはプリコーディング行列を適用することがあり、プリコーディング行列自体が制限された位相および/または振幅ジャンプを有する。1つの具体的な、ただし非限定的な例では、プリコーダによって隣接するリソース要素に適用される位相変化の差が、pi/12ラジアン以下の値に制限される場合、そのプリコーダは連続プリコーダと見なされ得る。さらなる例として、プリコーダによって隣接するリソース要素に適用される振幅重みの差が0.2dB以下の値に制限される場合、そのプリコーダは連続プリコーダと見なされ得る。
【００７４】
LTEにおけるPRGにわたって適用される固定プリコーディングの場合とほぼ同様に、連続プリコーディングがある場合、UEは、RBのクラスタの中のスケジューリングされた隣接RBに対して、比較的低コストの広帯域チャネル推定を利用し得る。
【００７５】
第3世代パートナーシッププロジェクト(3GPP)規格に従って定義されたUEなどの、いくつかのスケジューリング対象エンティティは、互いとは無関係にネットワーク(たとえば、基地局)にシグナリングされる任意選択の特徴をサポートし得る。たとえば、UEは、その端末能力クラス、カテゴリ、および/または動作特性に応じて能力を有し得る。たとえば、高速パケットアクセス(HSPA)規格のリリース5では、いくつかの通信パラメータにおいてUEの能力を定義する、12個の端末能力カテゴリがある。
【００７６】
次に図6を参照すると、本開示のいくつかの態様による連続プリコーディングを利用する1つの例示的な呼フローを示すための呼フロー図が提供されている。図示の例では、送信機602は、基地局、スケジューリングエンティティ202、送信機302、またはそれらのうちのいずれかの一部分に対応することができ、受信機604は、UE、スケジューリング対象エンティティ204、受信機306、またはそれらのうちのいずれかの一部分に対応することができる。もちろん、上記で説明したように、この図はDL送信上で利用される連続プリコーディングを示すが、当業者は、これらの概念がUL送信にも適用され得ることを理解されよう。さらに、この図では、時間は垂直次元で表され、下方向が時間的に前方への動き(一定の縮尺でない)を表し、あるノードから別のノードに送信される信号は、それぞれのノードの下の線の間の水平の矢印によって表される。
【００７７】
本開示の一態様によれば、基地局602は、連続プリコーディングに関する適切なDL制御情報(DCI)606を送信し得る。DCI606と並行して、またはDCI606の送信の前もしくは後の任意の他の時間に、基地局602は、1つまたは複数のパイロットまたは基準信号を含む1つまたは複数のPRBバンドル608をさらに送信し得る。ここで、所与のサブキャリア、所与のシンボル、またはRE406の任意の適切なブロックもしくはセットについて、PRBバンドル608上で搬送されるDLデータの場合、同じプリコーディングがパイロットおよびデータに適用される。PRBバンドル608上で搬送され、連続プリコーディングDCI606に基づいて構成されるパイロットに基づいて、ブロック610において、UEは、DLチャネルを推定し、適切なチャネル状態フィードバック(CSF)612を生成および送信し得る。
【００７８】
以下でさらに説明するように、連続プリコーディングDCI606は、連続プリコーディングがサポートされることと、連続プリコーディングがサポートされる場合、連続プリコーディングがRBクラスタに適用されるかどうかとを、UEまたはスケジューリング対象エンティティに通知するように構成され得る。さらに、連続プリコーディングが適用されるとき、連続プリコーディングDCI606は、連続プリコーディングに関する1つまたは複数のパラメータについてUEに通知し得る。
【００７９】
いくつかの例では、基地局602によって送信される連続プリコーディングDCI606は、基地局が連続プリコーディングをサポートすることをUE604に通知するための明示的シグナリングを含み得る。連続プリコーディングに対する基地局のサポートは短い時間期間にわたって変化しないことがあるので、そのような明示的シグナリングは、たとえば、無線リソース制御(RRC)などのレイヤ3シグナリングを利用して、半静的シグナリングを介して提供され得る。別の例では、そのような明示的シグナリングは、たとえば、SIBまたはPBCH上で、セルにわたってブロードキャストされ得る。しかしながら、本開示の範囲内では、連続プリコーディングに対する基地局サポートを示す明示的シグナリングは、PDCCH上のDCIなどを介した動的シグナリングまたは当業者に知られている任意の他の適切なシグナリング機構を利用して提供され得る。
【００８０】
いくつかの例では、基地局602は、任意の適切な要因またはパラメータに基づいて、連続プリコーディングをRBクラスタに適用することを決定し得る。任意選択で、UE604は、連続プリコーディングを有効化するまたは適用する要求を基地局602に送信し得る。たとえば、UE604は、CSF送信のための限られたオーバーヘッド利用可能性を有し得る。この場合、連続プリコーディングがサポートされ、UE604に対応するリソースに適用された場合、UE604は、いくつかの狭帯域チャネル推定ではなく、広帯域チャネル推定を実行することを可能にされ得る。このようにして、より小さいCSF粒度、および対応するより少ない量のCSFが、UEによって送信され得る。
【００８１】
さらなる態様では、連続プリコーディングDCI606は、連続プリコーディングがRBクラスタに適用されるかどうかの命令を含み得る。たとえば、基地局602は、連続プリコーディングが適用される特定のRBの識別情報をUE604に通知するための明示的シグナリングを送信し得る。それらのRBを識別するためのそのようなシグナリングは、たとえば、PDCCHを利用する、または他の例では、RRCシグナリングなどの半静的シグナリングを利用する、動的なスロットごとのDCIであってもよい。
【００８２】
しかしながら、本開示の別の態様では、基地局602は、スケジューラが連続プリコーディングを適用する特定のRBを識別するためのそのような明示的シグナリングを控えることがある。すなわち、スケジューラ942(図9参照)は、別のパラメータに基づいて、あるサブキャリアから次のサブキャリアへのプリコーディング行列の連続調整を暗示的に示し得る。たとえば、リソースをスケジュールするとき、スケジューリングされたリソースが連続プリコーディングを適用したことをUE604に暗示的にシグナリングするために、スケジューラは、PRBバンドル、すなわち、まとめられると最小しきい値帯域幅よりも大きい帯域幅にまたがるRBの隣接クラスタを含むリソースのセットを選択し得る。すなわち、調整され、どのRBが連続プリコーディングを適用したかをシグナリングするために利用され得る送信特性は、それらのリソースが最小しきい値帯域幅よりも大きいRBの隣接クラスタに対応する特性である。
【００８３】
たとえば、UE604に明示的に通知することなしに、UE604から提供されたCSFに基づいてリソースを割り振るとき、スケジューラ942は、位相および/または振幅の連続性を保証するための適切なプリコーディング行列を選択し得る。したがって、スケジューラ942が、連続プリコーディングをRBの隣接クラスタに提供することを望むとき、そのクラスタ内のリソースに適用されるプリコーディング行列は、上記で定義したように位相および/または振幅が連続するように選択され得る。
【００８４】
図7は、上記で説明したように、そのような暗示的指示に基づいて、連続プリコーディングがRBクラスタに適用されるかどうかを決定するためのアルゴリズムを示すためにスロット702の一部分を拡大する概略図である。ここで、スロット702は、上記で説明したスロット402、500、または550と同じまたは同様であり得る。図示のように、スロット702の一部分704が拡大され、数(K)個のRBのクラスタを含むことを示している。一部分704は、UE604などのUEのためのリソース割当てに対応し得る。図示の例では、リソース割振り704の中のいくつかのクラスタは互いと隣接しているが、いくつかのクラスタは隣接していない。
【００８５】
本開示の一態様では、UE604と基地局602の両方に知られている所定のルールは、連続プリコーディングがRBクラスタに適用されるかどうかを示すためのそのような暗示的シグナリングを実現し得る。たとえば、最小しきい値よりも大きい帯域幅にまたがるRBの隣接割振りの場合、スケジューラ942は、連続位相を有するプリコーディング行列を選択し得る。ここで、最小しきい値帯域幅Nminは、所与のRBクラスタの中の隣接RBの最小数に対応し得る。このアルゴリズムを用いて、少なくとも最小しきい値帯域幅にまたがるRBの隣接セットについて、受信UEは、そのRBのセットにおける送信の連続プリコーディングを仮定し得る。
【００８６】
たとえば、図示のように、スケジューラ942は、所与のUEのためのK個のRBのクラスタを含むリソース割振り704をスケジュールし得る(ただし、K≧1である)。ここで、各第kのRBのクラスタはNk個のRBからなり、ただし、kはRBのクラスタのインデックスであり、k=1、2、...、Kである。本開示の一態様によれば、スケジューラ942が、インデックスkのRBクラスタについてNk≧NminであるようにRBクラスタを構成する場合、UEは、連続プリコーディングがインデックスkのRBクラスタのリソースに適用されると仮定し得る。したがって、RBクラスタの帯域幅は、連続プリコーディングがそのRBクラスタのリソースに適用されるかどうかについての、UEへの暗示的指示として利用され得る。
【００８７】
図7を参照すると、RBクラスタ706(ただし、k=1である)は、このクラスタが4つのRBを含むことを示すために拡大され、ただし、RB4はクラスタの中のその他のRBに隣接しない。本開示の一態様では、RBがRBクラスタ内で隣接しないので、基地局は連続プリコーディングを適用しないことがあり、UEは連続プリコーディングがRBクラスタ706(ただし、k=1である)に適用されないと仮定することがある。
【００８８】
RBクラスタ708(ただし、k=3である)は、このクラスタが、すべてが互いに隣接する3つのRBを含むことを示すために拡大される。説明のために、この場合、Nmin>3であると仮定され得る。本開示の一態様では、Nk<Nminであるので、基地局は連続プリコーディングを適用しないことがあり、UEは連続プリコーディングがRBクラスタ708(ただし、k=3である)に適用されないと仮定することがある。
【００８９】
RBクラスタ710(ただし、k=Kである)は、このクラスタが、すべてが互いに隣接するx個のRBを含むことを示すために拡大される。説明のために、Nmin≦xであると仮定され得る。本開示の一態様では、Nk≧Nminであるので、基地局は連続プリコーディングを適用することがあり、UEは連続プリコーディングがRBクラスタ710(ただし、k=Kである)に適用されると仮定することがある。
【００９０】
本開示のさらなる態様では、Nminの値は任意の適切な値に設定され得る。さらに、いくつかの例では、各々が異なる送信方式に利用される、Nminの複数の値があり得る。たとえば、Nminは、開ループ送信方式においてある値を取り得るが、閉ループ送信方式において別の異なる値を取り得る。
【００９１】
いくつかの例では、最小しきい値帯域幅Nminは、SIBを介して、半静的シグナリングを介して、RNCシグナリングを介してUEにブロードキャストされる、かつ/または、たとえば、PDCCHを利用して、UEに動的にシグナリングされる場合がある。
【００９２】
いくつかの例では、最小しきい値帯域幅Nminは、限定はしないが、サブキャリア間隔(SCS)、スケジューリングエンティティにおけるアンテナの数、システム帯域幅、RBG(リソースブロック粒度)などを含む、1つまたは複数の送信パラメータに依存し得る。たとえば、SCSがより広い場合、Nminの値は、同じ帯域幅に対応するために、より小さくなり得る。さらに、システム帯域幅が小さい場合、システム帯域幅内により少ないRBがあり得るので、Nminの値はより小さくなり得る。さらに、基地局は、RBGがRBGしきい値よりも広い場合、RBクラスタに対する連続プリコーディングをトリガし得る。ここで、RBGは、RBの数(たとえば、RBのクラスタまたはバンドル)に対応し、スケジューラは、RBごとではなく、RBGのみに基づいてリソースをスケジュールし得る。この場合、たとえば、RBGが広い場合、連続プリコーディングは、RBの最小しきい値数ではなく、RBGの数に基づいて適用され得る。もちろん、上記のように、連続プリコーディングは、所与のRBGがRBの隣接セットに対応する場合にのみ適用され得る。さらなる例では、最小しきい値帯域幅Nminは、所与のUEまたはスケジューリング対象エンティティについてのUE能力またはカテゴリに依存し得る。すなわち、そのような最小しきい値帯域幅は、UE固有であり、受信機帯域幅能力またはタイプ、処理能力などの受信デバイスについての情報に基づき得る。またさらに、最小しきい値帯域幅Nminは、UE要求または勧告に基づき得る。上記の例のいずれかでは、最小しきい値帯域幅Nmin、および/または最小しきい値帯域幅を決定するために利用すべき1つもしくは複数のパラメータは、構成可能であり、限定はしないがDCI、RRCシグナリング、MAC制御要素などを含む任意の適切なシグナリング機構を利用して、送信デバイスから受信デバイスにシグナリングされる場合がある。
【００９３】
本開示のさらなる態様では、連続プリコーディングDCI606は、連続プリコーディングに関する1つまたは複数のパラメータを含むように構成され得る。以下でさらに説明するように、これらのパラメータは、たとえば、利用可能なトランスポートブロックサイズ(TBS)、チャネル状態フィードバック(CSF)の粒度、および周波数領域パイロット密度を含み得る。
【００９４】
上記で説明したように自己完結型スロットを利用するとき(たとえば、図5を参照されたい)、所与のスロットの中のデータ領域内のREについてのスケジューリング情報(たとえば、許可)および制御情報は、その同じスロットにおいて受信され得る。さらに、UEは、ULバーストにおいてHARQフィードバックを送信する前に、データを復号し、処理しなければならない。この場合、限られた量の時間のみが、受信UEがこの制御情報を復号し、処理するのに利用可能であり得る。したがって、UEの処理能力は限界に達する場合がある。具体的には、性能が低いUEは、必ずしも、チャネル推定を実行し、受信されたコードブロックのデマッピングおよび復号を実装するのに十分な時間を有するとは限らない場合がある。
【００９５】
したがって、UEが自己完結型スロットをサポートすることができることを保証するのを助けるために、最大トランスポートブロックサイズ(TBS)(すなわち、スロット内部のコードブロック(CB)の最大数)が制限され得る。この制限は、スロットの中のより多数のCBをサポートするのに十分な物理リソースがないからではなく、むしろ、UEが、ACK/NACKを送信する必要がある前に、他の方法でそのような自己完結型スロット内のCBを復号するための時間を有しないことがあるからである。
【００９６】
しかしながら、連続プリコーディングを利用するとき、上記で説明したように、UEは、同じ帯域幅に対して複数の狭帯域チャネル推定を実行することを必要とするのではなく、単一の広帯域チャネル推定を実行し得る。したがって、UEがチャネルを推定するために必要な時間は、狭帯域チャネル推定のための時間に対して低減され得る。この低減されたチャネル推定時間により、UEは、UEが狭帯域チャネル推定を利用したときに通常ならば有したであろう時間量に関係するCBを復号するために利用可能な追加の時間を有し得る。したがって、スケジューラは、より多い数のCB、すなわち、より大きいTBSを送り得る。したがって、本開示の一態様によれば、より大きいTBS制限は、連続プリコーディングがそれらのRBに適用されるときのRBクラスタを介した送信に利用される場合があり、より小さいTBS制限は、連続プリコーディングがそれらのRBに適用されないときのRBクラスタを介した送信に利用される場合がある。
【００９７】
いくつかの例では、異なるTBS、または最大TBS制限は、規格において適合され、指定される場合がある。たとえば、UEは異なるカテゴリに規格化される場合があり、あるカテゴリは広帯域チャネル推定が可能であってもよく、別のカテゴリは広帯域チャネル推定が可能ではないことがある。
【００９８】
上記で説明したように、UEは、様々なULチャネル状態情報、またはチャネル状態フィードバック(CSF)610を基地局に送信し得る。このCSFは、たとえば、プリコーディング行列インジケータ(PMI)、ランクインジケータ(RI)、および/またはチャネル品質インジケータ(CQI)を含み得る。そのようなCSFの各送信は、特定の実装形態に応じて、広帯域幅または狭帯域幅を有するチャネルの一部分に対応し得る。CSF粒度は、UEがより小さい帯域幅に関するCSFを提供する能力を指す。
【００９９】
本開示の一態様によれば、異なるCSF粒度は、連続プリコーディングがそれらのRBに適用されるときの、および連続プリコーディングがそれらのRBに適用されないときの、RBクラスタに対応するフィードバックに使用され得る。たとえば、UEはデフォルトCSF粒度用に構成されてもよく、UEは各RBについてPMI、RI、およびCQIを報告する。しかしながら、連続プリコーディングがRBクラスタに適用されるとき、UEは、それらのRBについてのそのようなCSFを、より大きい粒度で、たとえば、各隣接リソース割振りについて1回、報告し得る。たとえば、連続プリコーディングが適用されるNk個のRBの各隣接クラスタについて、CSF(たとえば、ジョイントCSF)が報告され得る。この例では、UEは、必ずしも、そのCSF粒度の変化についての明示的通知を基地局に送る必要があるとは限らず、したがって、変化は、上記で説明したように、最小隣接クラスタサイズに関する所定のルールに基づいて暗示的に示される(implicitly indicated)かまたは暗示される(implied)場合がある。
【０１００】
別の例では、UEは、各隣接割振りについて1回、CSF(たとえば、PMI、RI、および/またはCQI)を報告し得る。1つの例示的な例として、UEは、RBインデックス1〜20を有する第1のクラスタと、RBインデックス30〜35を有する第2のクラスタとを含むRBの2つの隣接セット上で、DLデータを受信し得る。この例では、基地局からの明示的指示、または暗示的指示(たとえば、各隣接RBクラスタの帯域幅がNminよりも大きい)のいずれかに基づいて、UEは、連続プリコーディングがこれらのクラスタの各々の中のRBに適用されると決定し得る。この場合、UEは、各RBについて別個のPMI/RI/CQIを報告するのではなく、2つのクラスタの各々について1回、CSFを報告し得る。
【０１０１】
これは、UEがPMI/RI/CQIを含むCSFを送信するだけでなく、加えて、UEが明示的CSFを報告するシナリオに同様に適用され得る。明示的CSFは、チャネル共分散行列、各隣接割振りにおける主なビーム方向、および/または各隣接割振りの内部の雑音方向に関するフィードバックを含み得る。
【０１０２】
図8は、一例による、3レイヤMU-MIMO設定における3つのトランスポートブロック(TB)の概略図である。図8では、垂直方向は周波数を表し、水平次元は異なるUEのためにプリコーディングされた異なるTB間の空間分化を表す。すなわち、MU-MIMOでは、基地局は、同じ周波数において2つ以上の異なる空間レイヤを送信し得る。この図では、3つのUE(UE1、UE2、およびUE3)に宛てられた3つのTBが示されているが、所与の実装形態では、任意の数のTBが任意の数のUEに送信され得る。この図で見られるように、いくつかの周波数において、リソースはすべての3つのUE、すなわち、UE1、UE2、およびUE3に割り振られる。他の周波数において、リソースは2つのUEのみ、すなわち、UE1およびUE2に割り振られる。また、さらに他の周波数において、リソースは1つのUEのみ、すなわち、UE2に割り振られる。
【０１０３】
上記で説明したように、CSFのUE報告は、RBのクラスタに対応するCSF粒度、またはRBの隣接割振りに対応する粒度に基づき得る。本開示の別の態様では、図8に示すものなどのMU-MIMO設定において、所与のUEは、UEペアリングが変化しない隣接割振りごとにそのCSFを潜在的に報告し得る。たとえば、UE1に関して、このUEは、UE1、UE2、およびUE3がペアにされている場合のサブキャリアのセットについての第1のCSF802と、UE1およびUE2のみがペアにされている場合のサブキャリアのセットについての第2のCSF804とを報告し得る。もちろん、UE1は、いくつかの例では、UE2のみがスケジューリングされたリソースを有する場合のサブキャリアのセットについての、および/または、そのUEのためのリソース割振りの外側のスペクトルの任意の他の部分についての、第3のCSF806を報告し得る。
【０１０４】
UEがMU-MIMOにおけるUEペアリングに基づいてスペクトルをセグメント化することを可能にするために、いくつかの例では、基地局は、UEの割振りの境界を識別する明示的な信号をUEに送信し得る。たとえば、連続プリコーディングDCI606(図6参照)は、UE割振りの境界を識別するために、このシグナリングを含み得る。いくつかの例では、境界は、空間多重化されているUEごとの上側および下側のサブキャリア境界に対応し得るが、他の例では、境界は、UEペアリングが変化する境界に対応し得る。
【０１０５】
連続プリコーディングが利用されるとき、位相および/または振幅はチャネルにわたって実質的に連続しており、したがって、チャネルはより小さい遅延拡散を有し得る。したがって、UEは、より少ないDLパイロット(たとえば、限定はしないがDMRSおよび/またはCRSを含む基準信号)に基づいて、有効チャネルの適切な推定値を生成することが可能であり得る。したがって、連続プリコーディングがRBクラスタに適用されるとき、基地局は、それらのRB上で搬送されるそのようなDLパイロット信号の周波数領域密度を低減し得る。
【０１０６】
すなわち、本開示の一態様によれば、基地局は、連続プリコーディングがそれらのRBに適用されているかどうかに基づいて、RBクラスタ内で適用すべき周波数領域パイロット密度を選択し得る。一例として、基地局は、1つまたは複数のRBの所与のクラスタの中のDMRSの密度を、連続プリコーディングがそのクラスタに適用されているかどうかに基づいて選択し得る。
【０１０７】
さらに、UEは、連続プリコーディングがそれらのRBに適用されるときに、第1の所定のパイロット密度に基づいてRBクラスタのためのチャネル推定を実行し、連続プリコーディングがそれらのRBに適用されないかまたはサポートされないときに、第2の異なる所定のパイロット密度に基づいてRBクラスタのためのチャネル推定を実行するように事前構成され得る。たとえば、プリコーディングされていないチャネル、またはRBベースのプリコーディングされたチャネルがXサブキャリアごとに1つのパイロットを必要とする場合、次いで、連続プリコーディングがRBクラスタに適用される場合、2でサブサンプリングされたものがそれらのRBに対してサポートされ得る。すなわち、UEは、2Xサブキャリアごとに、より低い周波数領域パイロット密度に基づいて、広帯域チャネル推定値を生成し得る。
【０１０８】
スケジューリングエンティティ
図9は、処理システム914を用いるスケジューリングエンティティ900のためのハードウェア実装形態の一例を示す簡略ブロック図である。たとえば、スケジューリングエンティティ900は、図1に示すようなユーザ機器(UE)であり得る。別の例では、スケジューリングエンティティ900は、図1に示すような基地局、図2に示すスケジューリングエンティティ202、図3に示す送信機302および/もしくは受信機306、ならびに/または図6に示す送信機/基地局602であり得る。
【０１０９】
スケジューリングエンティティ900は、1つまたは複数のプロセッサ904を含む処理システム914を用いて実装され得る。プロセッサ904の例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する様々な機能を実行するように構成された他の適切なハードウェアを含む。様々な例では、スケジューリングエンティティ900は、本明細書で説明する機能のうちのいずれか1つまたは複数を実行するように構成され得る。すなわち、プロセッサ904は、スケジューリングエンティティ900において利用されるとき、以下で説明し、図11および/または図12に示すプロセスのうちのいずれか1つまたは複数を実装するために使用され得る。
【０１１０】
この例では、処理システム914は、バス902によって概略的に表されるバスアーキテクチャを用いて実装され得る。バス902は、処理システム914の特定の適用例および全体的な設計制約に応じて、任意の数の相互接続バスおよびブリッジを含み得る。バス902は、(プロセッサ904によって概略的に表される)1つまたは複数のプロセッサ、メモリ905、および(コンピュータ可読記憶媒体906によって概略的に表される)コンピュータ可読媒体を含む様々な回路を互いに通信可能に結合する。バス902は、タイミングソース、周辺機器、電圧調整器、および電力管理回路などの様々な他の回路をリンクさせることもできるが、これらの回路は当技術分野でよく知られており、したがって、これ以上は説明しない。バスインターフェース908は、バス902とトランシーバ910との間のインターフェースを提供する。トランシーバ910は、送信媒体を介して様々な他の装置と通信するための手段を提供する。装置の性質に応じて、ユーザインターフェース912(たとえば、キーパッド、ディスプレイ、スピーカー、マイクロフォン、ジョイスティック)も設けられる場合がある。
【０１１１】
本開示のいくつかの態様では、プロセッサ904は、たとえば、1つまたは複数のスケジューリング対象エンティティのためのリソースをスケジュールすること、割り当てること、再構成すること、および解放することを含む、様々な機能のために構成されたスケジューラ回路942を含み得る。スケジューラ回路942は、たとえば、互いと隣接していることもあり必ずしも互いと隣接しているとは限らないこともある1つまたは複数のRBのバンドルまたはクラスタをスケジュールし得る。さらに、スケジューラ回路942は、まとめられると最小しきい値帯域幅よりも大きい帯域幅にまたがるRBの隣接クラスタを含むリソースのセットを選択することによって、スケジューリングされたリソースが連続プリコーディングを適用したことを暗示的にシグナリングし得る。たとえば、スケジューラ回路942は、たとえば、ブロック1106および/または1108を含む、図11に関して以下で説明する機能のうちの1つまたは複数を実装するように構成され得る。さらに、スケジューラ回路942は、たとえば、ブロック1202および/または1206を含む、図12に関して以下で説明する機能のうちの1つまたは複数を実装するように構成され得る。
【０１１２】
プロセッサ904は、たとえば、プリコーディングを所与のスケジューリングされたリソースに適用するために適切なプリコーディング行列を選択することを含む、様々な機能のために構成されたプリコーディング行列(PM)選択器回路944をさらに含み得る。いくつかの例では、PM選択器回路944は、連続プリコーディングがスケジューリングされたリソースに適用され得るように、制限された位相および/または振幅ジャンプを有するプリコーディング行列を選択し得る。たとえば、PM選択器回路944は、たとえば、ブロック1102、1104、1110および/または1112を含む、図11に関して以下で説明する機能のうちの1つまたは複数を実装するように構成され得る。さらに、PM選択器回路944は、たとえば、ブロック1202および/または1210を含む、図12に関して以下で説明する機能のうちの1つまたは複数を実装するように構成され得る。
【０１１３】
プロセッサ904は、たとえば、コードブロック(CB)のセットの生成を含むDL送信のためのチャネルコーディングならびにUL送信の復号を含む、様々な機能のために構成されたコーダ/デコーダ(コーデック)回路946をさらに含み得る。たとえば、コーデック回路946は、たとえば、ブロック1106および/または1108を含む、図11に関して以下で説明する機能のうちの1つまたは複数を実装するように構成され得る。さらに、コーデック回路946は、たとえば、ブロック1206、1208、および/または1210を含む、図12に関して以下で説明する機能のうちの1つまたは複数を実装するように構成され得る。
【０１１４】
プロセッサ904は、たとえば、PM選択器回路944によって選択されたプリコーディング行列(PM)に基づく、たとえば、プリコーディングDL送信を含む、様々な機能のために構成されたプリコーダ回路948をさらに含み得る。プリコーダ回路948は、1つまたは複数のプリコーディング行列を利用して、プリコーディングを1つまたは複数のRBに、たとえば、DL送信におけるRBバンドルにわたって適用するように構成され得る。いくつかの例では、プリコーダ回路948は、RBバンドルにわたって連続プリコーディングを適用するように構成され得る。たとえば、プリコーダ回路948は、たとえば、ブロック1110、1112、1114、および/または1116を含む、図11に関して以下で説明する機能のうちの1つまたは複数を実装するように構成され得る。さらに、プリコーダ回路948は、たとえば、ブロック1206、1208、および/または1210を含む、図12に関して以下で説明する機能のうちの1つまたは複数を実装するように構成され得る。
【０１１５】
プロセッサ904は、バス902を管理することと、コンピュータ可読記憶媒体906上に記憶されたソフトウェアの実行を含む一般的な処理とを担う。ソフトウェアは、プロセッサ904によって実行されると、処理システム914に、任意の特定の装置のための以下で説明する様々な機能を実行させる。コンピュータ可読記憶媒体906およびメモリ905は、ソフトウェアを実行するときにプロセッサ904によって操作されるデータを記憶するためにも使用され得る。
【０１１６】
処理システムにおける1つまたは複数のプロセッサ904は、ソフトウェアを実行し得る。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるものとする。ソフトウェアは、コンピュータ可読記憶媒体906上に存在し得る。コンピュータ可読記憶媒体906は、非一時的コンピュータ可読媒体であり得る。非一時的コンピュータ可読媒体は、例として、磁気ストレージデバイス(たとえば、ハードディスク、フロッピーディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびにコンピュータによってアクセスされ読み取られ得るソフトウェアおよび/または命令を記憶するための任意の他の適切な媒体を含む。コンピュータ可読記憶媒体906は、処理システム914の中に存在してもよく、処理システム914の外部に存在してもよく、または処理システム914を含む複数のエンティティにわたって分散されてもよい。コンピュータ可読記憶媒体906は、コンピュータプログラム製品において具現化され得る。例として、コンピュータプログラム製品は、パッケージング材料の中のコンピュータ可読媒体を含み得る。当業者は、特定の適用例および全体的なシステムに課される全体的な設計制約に応じて、本開示全体にわたって提示される、説明する機能を最善の形で実装する方法を認識されよう。
【０１１７】
1つまたは複数の例では、コンピュータ可読記憶媒体906は、たとえば、1つまたは複数のスケジューリング対象エンティティのためのリソースをスケジュールすること、割り当てること、再構成すること、および解放することを含む、様々な機能のために構成されたスケジューラソフトウェア962を含み得る。スケジューラソフトウェア962は、たとえば、互いと隣接していることもあり必ずしも互いと隣接しているとは限らないこともある1つまたは複数のRBのバンドルまたはクラスタをスケジュールし得る。さらに、スケジューラソフトウェア962は、まとめられると最小しきい値帯域幅よりも大きい帯域幅にまたがるRBの隣接クラスタを含むリソースのセットを選択することによって、スケジューリングされたリソースが連続プリコーディングを適用したことを暗示的にシグナリングし得る。たとえば、スケジューラソフトウェア962は、たとえば、ブロック1106および/または1108を含む、図11に関して以下で説明する機能のうちの1つまたは複数を実装するように構成され得る。さらに、スケジューラソフトウェア962は、たとえば、ブロック1202および/または1206を含む、図12に関して以下で説明する機能のうちの1つまたは複数を実装するように構成され得る。
【０１１８】
コンピュータ可読記憶媒体906は、たとえば、プリコーディングを所与のスケジューリングされたリソースに適用するために適切なプリコーディング行列を選択することを含む、様々な機能のために構成されたプリコーディング行列(PM)選択器ソフトウェア964をさらに含み得る。いくつかの例では、PM選択器ソフトウェア964は、連続プリコーディングがスケジューリングされたリソースに適用され得るように、制限された位相および/または振幅ジャンプを有するプリコーディング行列を選択し得る。たとえば、PM選択器ソフトウェア964は、たとえば、ブロック1102、1104、1110および/または1112を含む、図11に関して以下で説明する機能のうちの1つまたは複数を実装するように構成され得る。さらに、PM選択器回路944は、たとえば、ブロック1202および/または1210を含む、図12に関して以下で説明する機能のうちの1つまたは複数を実装するように構成され得る。
【０１１９】
様々な構成では、スケジューリングエンティティ900は、ワイヤレス通信のためのスケジューリングされたリソースとしてリソースのセットを割り振るための手段、スケジューリングされたリソースのための1つもしくは複数の送信パラメータを構成するための手段、連続プリコーディングを適用するかどうかを決定するための手段、および/または最小しきい値帯域幅を決定するための手段を含み得る。一例では、上述の手段は、上述の手段によって具陳された機能を実行するように構成されたプロセッサ904であり得る。別の例では、上述の手段は、スケジューラ942、PM選択器944、および/またはプリコーダ948であり得る。別の態様では、上述の手段は、上述の手段によって具陳された機能を実行するように構成された回路または任意の装置であり得る。
【０１２０】
もちろん、上記の例では、プロセッサ904に含まれる回路は、一例として提供されるにすぎず、説明する機能を実施するための他の手段は、限定はしないが、コンピュータ可読記憶媒体906に記憶された命令、あるいは、図1、図2、図3、図6、図9、および/または図10のうちのいずれか1つで説明し、たとえば、図11、図12、および/または図13に関して本明細書で説明するプロセスおよび/またはアルゴリズムを利用する、任意の他の適切な装置または手段を含む、本開示の様々な態様内に含まれ得る。
【０１２１】
スケジューリング対象エンティティ
図10は、処理システム1014を用いる例示的なスケジューリング対象エンティティ1000のためのハードウェア実装形態の一例を示す概念図である。本開示の様々な態様によれば、要素、または要素の任意の部分、または要素の任意の組合せは、1つまたは複数のプロセッサ1004を含む処理システム1014を用いて実装され得る。たとえば、スケジューリング対象エンティティ1000は、図1に示すようなユーザ機器(UE)、図2に示すスケジューリング対象エンティティ204、図3に示す送信機302および/もしくは受信機306、ならびに/または図6に示す受信機/UE604であり得る。
【０１２２】
処理システム1014は、図7に示す処理システム714と実質的に同じであってもよく、バスインターフェース1008、バス1002、メモリ1005、プロセッサ1004、およびコンピュータ可読媒体1006を含む。さらに、スケジューリング対象エンティティ1000は、図9に関して上記で説明したものと実質的に同様のユーザインターフェース1012およびトランシーバ1010を含み得る。すなわち、プロセッサ1004は、スケジューリング対象エンティティ1000において利用されるとき、以下で説明し、図11および/または図13に示すプロセスのうちのいずれか1つまたは複数を実装するために使用され得る。
【０１２３】
本開示のいくつかの態様では、プロセッサ1004は、たとえば、受信されたコードブロックのデマッピングを含む、様々な機能のために構成されたデマッパ回路1042を含み得る。たとえば、デマッパ回路1042は、たとえば、ブロック1118および/または1120を含む、図11に関して以下で説明する機能のうちの1つまたは複数を実装するように構成され得る。さらに、デマッパ回路1042は、たとえば、ブロック1302を含む、図13に関して以下で説明する機能のうちの1つまたは複数を実装するように構成され得る。
【０１２４】
プロセッサ1004は、たとえば、コードブロック(CB)のセットの生成を含むUL送信のためのチャネルコーディングならびにDL送信の復号を含む、様々な機能のために構成されたコーデック回路1044をさらに含み得る。たとえば、コーデック回路1044は、たとえば、ブロック1118および/または1120を含む、図11に関して以下で説明する機能のうちの1つまたは複数を実装するように構成され得る。さらに、デマッパ回路1042は、たとえば、ブロック1302を含む、図13に関して以下で説明する機能のうちの1つまたは複数を実装するように構成され得る。
【０１２５】
プロセッサ1004は、たとえば、DL送信上で搬送されるパイロットに基づく、たとえば、広帯域チャネル推定および/または狭帯域チャネル推定を含む、様々な機能のために構成されたチャネル推定器回路1046をさらに含み得る。チャネル推定値は、任意の適切なCSF粒度におけるCSFの1つまたは複数のカテゴリを生成するために利用され得る。たとえば、チャネル推定器回路1046は、たとえば、ブロック1118、1120、および/または1122を含む、図11に関して以下で説明する機能のうちの1つまたは複数を実装するように構成され得る。さらに、デマッパ回路1042は、たとえば、ブロック1306、1308、および/または1310を含む、図13に関して以下で説明する機能のうちの1つまたは複数を実装するように構成され得る。
【０１２６】
プロセッサ1004は、たとえば、上記で説明したチャネル推定器回路1046によって提供され得るチャネル推定値に基づいたCSFの生成を含む、様々な機能のために構成されたチャネル状態フィードバック(CSF)回路1048をさらに含み得る。このCSFは、DLチャネルの品質または特性を示し得る。たとえば、CSFは、チャネル品質インジケータ(CQI)、プリコーディング行列インデックス(PMI)、およびランクインジケータ(RI)を含み得る。CQIは、たとえば、DL送信上で搬送されるパイロットに基づく、たとえば、変調およびコーディング方式(MCS)インデックス広帯域チャネル推定および/または狭帯域チャネル推定を含み得る。チャネル推定値は、任意の適切なCSF粒度におけるCSFの1つまたは複数のカテゴリを生成するために利用され得る。すなわち、CSFの各送信は、広帯域幅、狭帯域幅、またはシステム帯域幅の任意の適切な部分を有するチャネルの一部分に対応し得る。たとえば、CSF回路1048は、たとえば、ブロック1118、1120、および/または1122を含む、図11に関して以下で説明する機能のうちの1つまたは複数を実装するように構成され得る。さらに、CSF回路1048は、たとえば、ブロック1306、1308、および/または1310を含む、図13に関して以下で説明する機能のうちの1つまたは複数を実装するように構成され得る。
【０１２７】
プロセッサ1004は、たとえば、選択されたプリコーディング行列(PM)に基づく、たとえば、プリコーディングUL送信を含む、様々な機能のために構成されたプリコーダ回路1049をさらに含み得る。プリコーダ回路1049は、1つまたは複数のプリコーディング行列を利用して、プリコーディングを1つまたは複数のRBに、たとえば、UL送信におけるRBバンドルにわたって適用するように構成され得る。いくつかの例では、プリコーダ回路1049は、RBバンドルにわたって連続プリコーディングを適用するように構成され得る。たとえば、プリコーダ回路1049は、たとえば、ブロック1122を含む、図11に関して以下で説明する機能のうちの1つまたは複数を実装するように構成され得る。さらに、プリコーダ回路1049は、たとえば、ブロック1310を含む、図13に関して以下で説明する機能のうちの1つまたは複数を実装するように構成され得る。
【０１２８】
様々な構成では、スケジューリング対象エンティティ1000は、スケジューリングエンティティと通信するための手段、チャネル推定値を生成するための手段、チャネル状態フィードバックを送信するための手段、ダウンリンク制御情報を受信するための手段、連続プリコーディングがスケジューリングされたリソースに適用されるかどうかを決定するための手段、および/またはチャネル状態情報を生成するための手段を含み得る。一例では、上述の手段は、上述の手段によって具陳された機能を実行するように構成されたプロセッサ1004であり得る。別の例では、上述の手段は、デマッパ1042、コーデック1044、チャネル推定器1046、CSF回路1048、および/またはプリコーダ1049であり得る。別の態様では、上述の手段は、上述の手段によって具陳された機能を実行するように構成された回路または任意の装置であり得る。
【０１２９】
もちろん、上記の例では、プロセッサ1004に含まれる回路は、一例として提供されるにすぎず、説明する機能を実施するための他の手段は、限定はしないが、コンピュータ可読記憶媒体1006に記憶された命令、あるいは、図1、図2、図3、図6、図9、および/または図10のうちのいずれか1つで説明し、たとえば、図11、図12、および/または図13に関して本明細書で説明するプロセスおよび/またはアルゴリズムを利用する、任意の他の適切な装置または手段を含む、本開示の様々な態様内に含まれ得る。
【０１３０】
フローチャート
図11は、本開示のいくつかの態様による、連続プリコーディングを有する送信特性の動的な調整のための例示的なプロセス1100を示すフローチャートである。以下で説明するように、いくつかのまたはすべての図示した特徴は、本開示の範囲内の特定の実装形態では省略されることがあり、いくつかの図示した特徴は、すべての実施形態の実装に必要とされないことがある。いくつかの例では、プロセス1100は、上記で説明し、図2、図3、図6、および図9に示した、スケジューリングエンティティ202、送信機302、基地局602、および/またはスケジューリングエンティティ900によって実施され得る。いくつかの例では、プロセス1100は、上記で説明し、図2、図3、図6、および図10に示した、スケジューリング対象エンティティ204、受信機306、UE604、および/またはスケジューリング対象エンティティ1000によって実施され得る。いくつかの例では、プロセス1100は、以下で説明する機能またはアルゴリズムを実施するための任意の適切な装置または手段によって実施され得る。上記で説明したように、プロセス1100を含む本開示の態様は、アップリンク送信、ダウンリンク送信、およびサイドリンク送信に適用され得ることを理解されたい。しかしながら、説明しやすいように、本明細書では、ダウンリンク送信に対応する例示的なプロセスについて、以下で説明する。
【０１３１】
ブロック1102において、スケジューリングエンティティ900は、連続プリコーディング機能がサポートされるかどうかを決定し得る。連続プリコーディング機能に対するサポートは、限定はしないが、スケジューリングエンティティ900の能力、1つまたは複数のスケジューリング対象エンティティ1000の能力などを含む、様々な要因に基づき得る。連続プリコーディング機能がサポートされる場合、プロセスはブロック1104に進み得る。ブロック1104において、スケジューリングエンティティ900は、連続プリコーディングを1つまたは複数のRBのクラスタに適用するかどうかを決定し得る。ここで、この場合も、連続プリコーディングをRBクラスタに適用するかどうかの決定は、限定はしないが、1つまたは複数のスケジューリング対象エンティティ1000から受信されたCSF、スケジューリング対象エンティティ1000の能力または分類、連続プリコーディングを適用するための1つまたは複数のスケジューリング対象エンティティ1000からの要求、セル容量、あるいは任意の他の適切な要因を含む、様々な要因に基づき得る。たとえば、送信機がチャネル状態に精通している場合、送信機は連続プリコーディングをある帯域の中のRBのセットに適用し得るが、送信機がチャネル状態に精通していない場合、送信機は、固定プリコーディング、または適切なRB粒度を有する他のプリコーディングを、別の帯域の中のRBのセットに適用し得る。別の例では、上記で説明し、図8に示したように、送信基地局またはスケジューリングエンティティは、受信UEがMU-MIMOを使用して別のUEとペアにされるかどうかに基づいて、連続プリコーディングを所与のRBクラスタに適用するかどうかを決定し得る。
【０１３２】
上記で説明したように、本開示のいくつかの態様では、スケジューリングエンティティ200は、連続プリコーディングがそれらのRBに適用されるかどうかに基づいて、RBクラスタのための1つまたは複数の送信パラメータを動的に制御し得る。したがって、図11で見られるように、並列経路は、連続プリコーディングが適用されているかどうかを条件としてスケジューリングエンティティ900またはスケジューリング対象エンティティ1000によって取られるアクションまたはプロセスを示す。
【０１３３】
たとえば、連続プリコーディングがRBクラスタに適用されない場合、ブロック1106において、スケジューリングエンティティ900におけるスケジューラは、第1のTBS制限を利用して、スケジューリング対象エンティティ1000のために1つまたは複数のRBのクラスタをスケジュールし得る。しかしながら、連続プリコーディングがリソースに適用される場合、ブロック1108において、スケジューリングエンティティ900におけるスケジューラは、第1のTBS制限とは異なる第2のTBS制限を利用して、スケジューリング対象エンティティ1000のために1つまたは複数のRBのクラスタをスケジュールし得る。一例では、連続プリコーディングありで使用される第2のTBS制限は、連続プリコーディングなしで使用される第1のTBS制限よりも大きくてもよい。
【０１３４】
さらに、連続プリコーディングがRBクラスタに適用されない場合、ブロック1110において、スケジューリングエンティティ900は、制御情報(たとえば、DCI)をスケジューリング対象エンティティ1000に送信し得る。制御情報は、1つまたは複数のRBのクラスタを含むリソースについての許可またはリソース割振りなどの、スケジューリング情報を含んでもよく、いくつかの例では、連続プリコーディングがRBクラスタに適用されないという、スケジューリング対象エンティティ1000への明示的指示を任意選択で含んでもよい。さらに、制御情報は、第1のTBS制限を含み得る。さらに、制御情報は、第1のCSF粒度を含み得る。たとえば、連続プリコーディングがスケジューリングされたリソースに適用されないので、CSF粒度は、PRBのサイズに対応し得る。さらに、制御情報は、第1の周波数領域パイロット密度を含み得る。ここで、連続プリコーディングがスケジューリングされたリソースに適用されないので、第1の周波数領域パイロット密度は、スケジューリング対象エンティティ1000が狭帯域チャネル推定を実行する必要性に基づいて設定され得る。
【０１３５】
一方、連続プリコーディングがスケジューリングされたリソースに適用される場合、ブロック1112において、スケジューリングエンティティ900はまた、制御情報(たとえば、DCI)をスケジューリング対象エンティティ1000に送信し得る。ここで、制御情報は、1つまたは複数のRBのクラスタを含むリソースについての許可またはリソース割振りなどの、スケジューリング情報を含んでもよく、いくつかの例では、連続プリコーディングがRBクラスタに適用されるという、スケジューリング対象エンティティ1000への明示的指示を任意選択で含んでもよい。さらに、制御情報は、第1のTBS制限とは異なる第2のTBS制限を含み得る。さらに、制御情報は、第1のCSF粒度とは異なる第2のCSF粒度を含み得る。たとえば、上記で説明したように、連続プリコーディングがスケジューリングされたリソースに適用されるので、第2のCSF粒度は、隣接リソース割振りのサイズに対応し得る。別の例では、MU-MIMOが利用されるとき、第2のCSF粒度は、UEペアリングが変化しない各隣接リソース割振りのサイズに対応し得る(図8参照)。さらに、制御情報は、第1の周波数領域パイロット密度とは異なる第2の周波数領域パイロット密度を含み得る。ここで、連続プリコーディングがスケジューリングされたリソースに適用されるので、第2の周波数領域パイロット密度は、スケジューリング対象エンティティ1000が広帯域チャネル推定を実行する必要性に基づいて設定され得る。
【０１３６】
さらに、連続プリコーディングがスケジューリングされたリソースに適用されない場合、ブロック1114において、スケジューリングエンティティ900は、スケジューリングされたリソースを利用して、とりわけ、第1の周波数領域パイロット密度を有する1つまたは複数のパイロットを含む信号を送信し得る。ここで、1つまたは複数の送信されたパイロットは、ブロック1110において送信されたDCIにおいて識別されたスケジューリングされたリソース内のREの中で搬送され得る。スケジューリングされたリソースを利用して送信される信号は、DLトラフィック、同期信号、ブロードキャストチャネル、基準信号、または任意の他の適切な情報、信号、および/もしくはチャネルをさらに含み得る。
【０１３７】
一方、連続プリコーディングがスケジューリングされたリソースに適用される場合、ブロック1116において、スケジューリングエンティティ900は、スケジューリングされたリソースを利用して、とりわけ、第1の周波数領域パイロット密度とは異なる第2の周波数領域パイロット密度を有する1つまたは複数のパイロットを含む信号を送信し得る。ここで、連続プリコーディングが適用され、UEが広帯域チャネル推定値を生成し得るので、第2の周波数領域パイロット密度は、第1の周波数領域パイロット密度よりも低いことがある。スケジューリングされたリソースを利用して送信される信号は、DLトラフィック、同期信号、ブロードキャストチャネル、基準信号、または任意の他の適切な情報、信号、および/もしくはチャネルをさらに含み得る。
【０１３８】
ブロック1118において、連続プリコーディングがスケジューリングされたリソースに適用されない場合、スケジューリング対象エンティティ1000は、スケジューリングされたリソース上でダウンリンク送信を受信し、1つまたは複数の狭帯域チャネル推定値を生成し得る。ここで、チャネル推定値は、ブロック1110においてシグナリングされたDCIにおいてシグナリングされ得るような、第1のCSF粒度および第1の周波数領域パイロット密度に基づき得る。
【０１３９】
一方、連続プリコーディングがスケジューリングされたリソースに適用される場合、ブロック1120において、スケジューリング対象エンティティ1000は、スケジューリングされたリソース上でダウンリンク送信を受信し、1つまたは複数の広帯域チャネル推定値を生成し得る。ここで、チャネル推定値は、ブロック1112においてシグナリングされたDCIにおいてシグナリングされるような、第2のCSF粒度および第2の周波数領域パイロット密度に基づき得る。
【０１４０】
チャネル推定値を生成した後、ブロック1122において、スケジューリング対象エンティティ1000は、CSFをスケジューリングエンティティ900に送信し得る。
【０１４１】
図12は、本開示のいくつかの態様による、連続プリコーディングを有する送信特性の動的な調整のための例示的なプロセス1200を示すフローチャートである。以下で説明するように、いくつかのまたはすべての図示した特徴は、本開示の範囲内の特定の実装形態では省略されることがあり、いくつかの図示した特徴は、すべての実施形態の実装に必要とされないことがある。いくつかの例では、プロセス1200は、上記で説明し、図2、図3、図6、および図9に示した、スケジューリングエンティティ202、送信機302、基地局602、および/またはスケジューリングエンティティ900によって実施され得る。いくつかの例では、プロセス1100は、以下で説明する機能またはアルゴリズムを実施するための任意の適切な装置または手段によって実施され得る。
【０１４２】
ブロック1202において、スケジューリングエンティティは、スケジューリング対象エンティティとのワイヤレス通信のためのリソースを割り振り得る。ブロック1204において、スケジューリングエンティティは、連続プリコーディングがスケジューリングされたリソースに適用されるかどうかを決定し得る。連続プリコーディングがスケジューリングされたリソースに適用されない場合、ブロック1206において、スケジューリングエンティティは、プリコーダ以外の、スケジューリングされたリソースのための1つまたは複数の送信パラメータを、第1の構成を用いて構成し得る。連続プリコーディングがスケジューリングされたリソースに適用される場合、ブロック1208において、スケジューリングエンティティは、プリコーダ以外の、スケジューリングされたリソースのための1つまたは複数の送信パラメータを、第1の構成とは異なる第2の構成を用いて構成し得る。ブロック1210において、スケジューリングエンティティは、スケジューリングされたリソースの許可を含む制御情報を送信し得る。次いで、ブロック1212において、スケジューリングエンティティは、スケジューリングされたリソース上のワイヤレス信号を利用して、スケジューリング対象エンティティと通信し得る。
【０１４３】
図13は、本開示のいくつかの態様による、連続プリコーディングを有する送信特性の動的な調整のための例示的なプロセス1300を示すフローチャートである。以下で説明するように、いくつかのまたはすべての図示した特徴は、本開示の範囲内の特定の実装形態では省略されることがあり、いくつかの図示した特徴は、すべての実施形態の実装に必要とされないことがある。いくつかの例では、プロセス1300は、上記で説明し、図2、図3、図6、および図10に示した、スケジューリング対象エンティティ204、受信機306、UE604、および/またはスケジューリング対象エンティティ1000によって実施され得る。いくつかの例では、プロセス1100は、以下で説明する機能またはアルゴリズムを実施するための任意の適切な装置または手段によって実施され得る。
【０１４４】
ブロック1302において、スケジューリング対象エンティティは、1つまたは複数のリソースブロックのクラスタを含むスケジューリングされたリソースを利用して、スケジューリングエンティティと通信し得る。ブロック1304において、スケジューリング対象エンティティは、連続プリコーディングがスケジューリングされたリソースに適用されるかどうかを決定し得る。連続プリコーディングがスケジューリングされたリソースに適用されない場合、ブロック1306において、スケジューリング対象エンティティは、1つまたは複数の送信パラメータの第1のセットに基づいてチャネル推定値を生成し得る。連続プリコーディングがスケジューリングされたリソースに適用される場合、ブロック1308において、スケジューリング対象エンティティは、第1のセットとは異なる1つまたは複数の送信パラメータの第2のセットに基づいてチャネル推定値を生成し得る。ブロック1310において、スケジューリング対象エンティティは、生成されたチャネル推定値に基づいてCSFを送信し得る。
【０１４５】
ワイヤレス通信ネットワークのいくつかの態様が、例示的な実装形態を参照しながら提示されてきた。当業者が容易に諒解するように、本開示全体にわたって説明する様々な態様は、他の電気通信システム、ネットワークアーキテクチャ、および通信規格に拡張され得る。
【０１４６】
例として、様々な態様は、ロングタームエボリューション(LTE)、発展型パケットシステム(EPS)、ユニバーサルモバイルテレコミュニケーションシステム(UMTS)、および/またはモバイル用グローバルシステム(GSM(登録商標))などの、3GPPによって定義された他のシステム内で実装され得る。様々な態様はまた、CDMA2000および/またはエボリューションデータオプティマイズド(EV-DO)などの、第3世代パートナーシッププロジェクト2(3GPP2)によって定義されたシステムに拡張され得る。他の例は、IEEE802.11(Wi-Fi)、IEEE802.16(WiMAX)、IEEE802.20、ウルトラワイドバンド(UWB)、Bluetooth(登録商標)を用いるシステムおよび/または他の適切なシステム内で実装され得る。用いられる実際の電気通信規格、ネットワークアーキテクチャ、および/または通信規格は、特定の適用例およびシステムに課される全体的な設計制約に依存する。
【０１４７】
本開示内では、「例示的」という語は、「例、事例、または例示としての役割を果たす」ことを意味するために使用される。「例示的」として本明細書で説明するいかなる実装形態または態様も、必ずしも本開示の他の態様よりも好ましいまたは有利であると解釈されるべきではない。同様に、「態様」という用語は、本開示のすべての態様が説明した特徴、利点、または動作モードを含むことを必要としない。「結合された」という用語は、本明細書では、2つの物体間の直接的または間接的な結合を指すために使用される。たとえば、物体Aが物体Bに物理的に接触し、物体Bが物体Cに接触する場合、物体Aおよび物体Cは、直接的に物理的に互いに接触しない場合であっても、それでもやはり互いに結合されると見なされることがある。たとえば、第1の物体が第2の物体と決して直接的に物理的に接触していなくても、第1の物体は第2の物体に結合され得る。「回路(circuit)」および「回路(circuitry)」という用語は広く使用され、電子回路のタイプに関して限定せずに、接続され構成されると、本開示で説明する機能の実行を可能にする電気デバイスおよび導体のハードウェア実装形態、ならびに、プロセッサによって実行されると、本開示で説明する機能の実行を可能にする情報および命令のソフトウェア実装形態の両方を含むものとする。
【０１４８】
図1〜図13に示す構成要素、ステップ、特徴、および/または機能のうちの1つまたは複数は、並べ替えられてもよく、かつ/または単一の構成要素、ステップ、特徴、または機能に組み合わせられてもよく、あるいは、いくつかの構成要素、ステップ、または機能において具現化されてもよい。本明細書で開示する新規の特徴から逸脱することなく、追加の要素、構成要素、ステップ、および/または機能が追加されることもある。図1〜図10に示す装置、デバイス、および/または構成要素は、本明細書で説明する方法、特徴、またはステップのうちの1つまたは複数を実行するように構成され得る。本明細書で説明する新規のアルゴリズムはまた、ソフトウェアにおいて効率的に実装されてもよく、かつ/またはハードウェアに組み込まれてもよい。
【０１４９】
開示する方法におけるステップの特定の順序または階層は、例示的なプロセスを示すものであることを理解されたい。設計上の選好に基づいて、方法におけるステップの特定の順序または階層が並べ替えられてもよいことを理解されたい。添付の方法クレームは、例示的な順序で様々なステップの要素を提示しており、そこに特に記載されていない限り、提示された特定の順序または階層に限定されるものではない。
【符号の説明】
【０１５０】
100  無線アクセスネットワーク、ネットワーク、アクセスネットワーク
102  マクロセル、セル、サービングセル
104  マクロセル、セル
106  マクロセル、セル、ネイバーセル
108  スモールセル、セル
110  高電力基地局、基地局、サービング基地局
112  高電力基地局、基地局
114  高電力基地局、基地局
116  リモートラジオヘッド(RRH)、RRH
118  低電力基地局、基地局
120  クワッドコプター、ドローン
122  UE
124  UE
126  UE
127  ピアツーピア(P2P)またはサイドリンク信号
128  UE
130  UE
132  UE
134  UE
136  UE
138  UE
140  UE
142  UE
200  スケジューリングエンティティ
202  スケジューリングエンティティ
204  スケジューリング対象エンティティ
204a  第1のスケジューリング対象エンティティ
204b  第2のスケジューリング対象エンティティ
206  トラフィック
208  DL制御情報
210  アップリンクトラフィック
212  UL制御情報
214  サイドリンクトラフィック、サイドリンクトラフィック情報
216  サイドリンク制御、サイドリンク制御情報
300  ワイヤレス通信システム、MIMOシステム
302  送信機
304  送信アンテナ
306  受信機
308  受信アンテナ
310  信号経路
402  DLスロット、タイムスロット、スロット
404  リソースグリッド
406  リソース要素(RE)、RE
408  物理リソースブロック(PRB)、リソースブロック(RB)、RB
500  自己完結型スロット、スロット、DL中心スロット
502  DL制御領域
504  DLデータ領域
506  ガード期間(GP)領域、GP領域
508  ULバースト
510  持続時間
550  自己完結型スロット、スロット、UL中心スロット
556  データ領域
602  送信機
604  受信機
606  DL制御情報(DCI)、DCI
608  PRBバンドル
610  ブロック
702  スロット
704  一部分、リソース割振り
706  RBクラスタ
708  RBクラスタ
710  RBクラスタ
802  第1のCSF
804  第2のCSF
806  第3のCSF
900  スケジューリングエンティティ
902  バス
904  プロセッサ
905  メモリ
906  コンピュータ可読記憶媒体
908  バスインターフェース
910  トランシーバ
912  ユーザインターフェース
914  処理システム
942  スケジューラ、スケジューラ回路
944  プリコーディング行列(PM)選択器回路、PM選択器回路
946  コーダ/デコーダ(コーデック)回路、コーデック回路
948  プリコーダ回路
962  スケジューラソフトウェア
964  プリコーディング行列(PM)選択器ソフトウェア、PM選択器ソフトウェア
1000  スケジューリング対象エンティティ
1002  バス
1004  プロセッサ
1005  メモリ
1006  コンピュータ可読媒体
1008  バスインターフェース
1010  トランシーバ
1012  ユーザインターフェース
1014  処理システム
1042  デマッパ回路
1044  コーデック回路
1046  チャネル推定器回路
1048  チャネル状態フィードバック(CSF)回路、CSF回路
1049  プリコーダ回路
1100  プロセス
1200  プロセス
1300  プロセス
【図１】
2020501392.tif 000003
【図２】
2020501392.tif 000004
【図３】
2020501392.tif 000005
【図４】
2020501392.tif 000006
【図５】
2020501392.tif 000007
【図６】
2020501392.tif 000008
【図７】
2020501392.tif 000009
【図８】
2020501392.tif 000010
【図９】
2020501392.tif 000011
【図１０】
2020501392.tif 000012
【図１１】
2020501392.tif 000013
【図１２】
2020501392.tif 000014
【図１３】
2020501392.tif 000015
【国際調査報告】
2020501392.tif 000016
2020501392.tif 000017